(57)【要約】【課題】使用する紙の量を低減して低コストに製造する。【解決手段】収納物に関する情報を印字した情報表示領域５０Ａの周囲に切り取り線を設け、切断して情報タブ５Ａとして利用可能とする。切り取り線が、情報表示面３Ａの両側に隣接する他の側面との境界である折り目に沿って延長された第一切り取り線４１Ａ及び第二切り取り線４２Ａと、情報表示面３Ａの中間において、第一切り取り線４１Ａと第二切り取り線４２Ａの端縁同士を結ぶように延長された第三切り取り線４３Ａとを含み、第一切り取り線４１Ａ及び第二切り取り線４２Ａは、各切り取り線を構成する破断線分の延伸方向に対して交差する交差切れ目を該切り取り線に沿って離間して設けており、第三切り取り線４３Ａは、第三切り取り線４３Ａを構成する各破断線分を長さを、第一切り取り線４１Ａ及び第二切り取り線４２Ａを構成する各破断線分を長さよりも短く形成している。【選択図】図１１
2018115029.tif 000002
【特許請求の範囲】
【請求項１】
収納物を収納するための箱形に形成された紙製の収納箱であって、
複数の側面と、
該複数の側面で区画された開口端を閉塞する閉塞面と
を備え、
前記複数の側面の内、少なくとも一面を、収納物に関する情報を印字した情報表示領域を有する情報表示面としており、
前記情報表示領域の周囲に、複数の破断線分を一直線上に離間した切り取り線を設けており、該切り取り線で情報表示領域を含む領域を切断することにより、情報タブとして利用可能としており、
前記切り取り線が、
前記情報表示面の両側にそれぞれ隣接する他の側面との境界である折り目に沿って前記情報表示面の中間まで各々延長された第一切り取り線及び第二切り取り線と、
前記情報表示面の中間において、前記第一切り取り線と第二切り取り線の端縁同士を結ぶように延長された第三切り取り線と
を含み、
前記第一切り取り線及び第二切り取り線は、各切り取り線を構成する破断線分の延伸方向に対して交差する交差切れ目を該切り取り線に沿って離間して設けており、
前記第三切り取り線は、該第三切り取り線を構成する各破断線分を長さを、前記第一切り取り線及び第二切り取り線を構成する各破断線分を長さよりも短く形成してなる紙製の収納箱。
【請求項２】
請求項１に記載の紙製の収納箱であって、
前記情報表示面の内、前記第三切り取り線と対向する辺側を、前記情報表示面の破断開始位置としてなる紙製の収納箱。
【請求項３】
請求項１又は２に記載の紙製の収納箱であって、
前記切り取り線が、前記側面の周縁に形成された折り目に位置して、前記情報タブの長手方向の一辺を構成する第一切り取り線と、前記第一切り取り線と平行に延伸されて、前記情報タブの長手方向の他の一辺を構成する第二切り取り線と、前記第一切り取り線の一端であって、前記切断開始部の端縁から前記第二切り取り線に向かって延伸された第三切り取り線と、前記尻すぼみ状の端部の周縁に沿って形成された第四切り取り線とを備え、
前記第一切り取り線、前記第二切り取り線、及び前記第三切り取り線が前記情報タブの内側に延びる前記交差切れ目を備えると共に、前記第四切り取り線が前記情報タブの外側に延びる前記交差切れ目を備える紙製の収納箱。
【請求項４】
請求項３に記載の紙製の収納箱であって、
前記第一切り取り線及び前記第二切り取り線が、前記情報表示面の対向縁に形成された折り目に位置しており、
前記第一切り取り線に設けた前記交差切れ目が、該切り取り線の延伸方向に対して傾斜する傾斜切れ目であり、
前記第二切り取り線に設けた前記交差切れ目が、該切り取り線の延伸方向に対して直交する直交切れ目である紙製の収納箱。
【請求項５】
請求項１から４のいずれか一項に記載の紙製の収納箱であって、
前記情報タブが、中央部に段差凹部を形成しており、この段差凹部を前記情報表示領域としてなる紙製の収納箱。
【請求項６】
請求項１から５のいずれか一項に記載の紙製の収納箱であって、
前記複数の側面が、互いに側縁で連結された第一の側面、第二の側面、第三の側面、及び第四の側面で構成されると共に、前記第一の側面の側縁に沿って接着片を連設し、前記接着片を前記第四の側面に糊付けして全体の形状を四角筒状としており、
前記第二の側面を前記情報表示面として、前記情報タブを設けてなる紙製の収納箱。
【請求項７】
請求項１から６のいずれか一項に記載の紙製の収納箱であって、
前記収納箱を、対向する前記側面が積層される姿勢に折り畳んだ状態を初期状態として取り扱い可能としており、前記初期状態における折り目に前記切り取り線を配置すると共に、該切り取り線が、該切り取り線の延伸方向と直交する直交切れ目である前記交差切れ目を備える紙製の収納箱。
【請求項８】
請求項１から７のいずれか一項に記載の紙製の収納箱であって、
前記複数の側面の内、前記情報表示面以外に、第二情報表示領域を設けてなる紙製の収納箱。
【請求項９】
請求項１から８のいずれか一項に記載の紙製の収納箱であって、
前記交差切れ目は、各切り取り線を構成する破断線分の延伸方向に対して５０°〜８０°に傾斜されてなる紙製の収納箱。
【請求項１０】
請求項１から９のいずれか一項に記載の紙製の収納箱であって、
前記交差切れ目を設ける間隔を、第一切り取り線及び第二切り取り線の破断線分の長さに対して１．２〜１．８としてなる紙製の収納箱。
【請求項１１】
請求項１から１０のいずれか一項に記載の紙製の収納箱であって、
前記第一切り取り線及び第二切り取り線の破断線分を設ける間隔を、該破断線分の長さに対して、４０％〜７０％としてなる紙製の収納箱。
【請求項１２】
請求項１から１１のいずれか一項に記載の紙製の収納箱であって、
展開状態における前記情報表示面が、断面視において、該情報表示面の両側にそれぞれ隣接する他の側面と同一平面上にないよう構成されてなる収納箱。
【請求項１３】
請求項１から１２のいずれか一項に記載の紙製の収納箱であって、
展開状態における前記情報表示面が、断面視において、該情報表示面の両側にそれぞれ隣接する他の側面よりも低い面に位置されてなる収納箱。
【請求項１４】
請求項１から１３のいずれか一項に記載の紙製の収納箱であって、
展開状態において、前記情報表示面が、該情報表示面の両側にそれぞれ隣接する他の側面と、断面視において、前記第一切り取り線及び第二切り取り線で非連続に形成されてなる収納箱。
【請求項１５】
収納物を収納するための箱形に形成された紙製の収納箱の製造装置であって、
複数の側面と、該複数の側面で区画された開口端を閉塞する閉塞面とを備え、前記複数の側面の内、少なくとも一面を、収納物に関する情報を印字した情報表示領域を有する情報表示面として、前記情報表示領域の周囲に、複数の破断線分を一直線上に離間した切り取り線を設けており、該切り取り線で情報表示領域を含む領域を切断することにより、情報タブとして利用可能とし、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けている収納箱を展開した状態の輪郭に沿って刃を形成した雄型と、
前記刃の部分を窪ませた雌型と
を備え、
前記雌型は、前記情報表示面と対応する部位を切り欠いてなる収納箱の製造装置。
【請求項１６】
収納物を収納するための箱形に形成された紙製の収納箱の製造方法であって、
複数の側面と、該複数の側面で区画された開口端を閉塞する閉塞面とを備え、前記複数の側面の内、少なくとも一面を、収納物に関する情報を印字した情報表示領域を有する情報表示面として、前記情報表示領域の周囲に、複数の破断線分を一直線上に離間した切り取り線を設けており、該切り取り線で情報表示領域を含む領域を切断することにより、情報タブとして利用可能とし、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けている収納箱を展開した状態の輪郭に沿って刃を形成した雄型と、前記刃の部分を窪ませると共に、前記情報表示面と対応する部位を切り欠いた雌型とで構成される打抜型を準備する工程と、
前記打抜型の間に原紙をセットして、展開状態の収納箱を打ち抜くと共に、前記情報表示面が、断面視において、該情報表示面の両側にそれぞれ隣接する他の側面と同一平面上にないよう形成する工程と
を含む収納箱の製造方法。
【発明の詳細な説明】
【技術分野】
【０００１】
本発明は、収納物の情報が表示された情報タブを切り離し自在に設けてなる紙製の収納箱及びその製造装置並びに収納箱の製造方法に関する。
【背景技術】
【０００２】
内部に収納される収納物の情報を表面に表示してなる紙製の収納箱は、収納物の情報が表示された情報タブを切り離し自在とすることで便利に使用できる。このような収納箱は、例えば、収納箱から取り出した収納物を別の収納場所に移した後、収納物の情報が表示された情報タブを空の収納箱から切り離して、収納物の保管場所に取り付けることで、収納物の管理を便利に行うことができる。
【０００３】
このような収納箱は、すでに開発されている。例えば、特許文献１ないし３に記載される収納箱は、複数の面を備えており、そのうち少なくとも一面が開封部を有する開封面であり、開封面と異なる面の少なくとも一面を、外側片及び内側片からなる二重構造としている。この収納箱は、外側片には内容物情報が印刷されており、外側片の一部または全部が情報タブとして切除されるように、内容物情報の周囲に破断線が形成されている。この収納箱は、破断線を切断して情報タブを外側片から切り離すことで、内容物情報が記載された情報タブとして便利に使用できる。
【０００４】
これ等の収納箱は、情報タブの周囲の内、少なくとも一辺を破断線を設けない開放された切断縁とし、この開放縁を切り取り開始部分とすることで、情報タブをスムーズに切り離しできる。また、開放された切断縁を長く設けることで、情報タブの切り離しを簡単にできると共に、切り離された情報タブの外観を美しくできる。ただ、以上の収納箱は、情報タブを設けた外側片を内側片との二重構造とすることで、情報タブの周囲に開放された長い切断縁を設けることが可能となっている。それは、情報タブの一辺を開放された切断縁とする構造では、この部分が開口されやすく、開口部からの異物や虫等の侵入を防止するために、この部分を二重構造として開口部を閉塞する必要があるからである。
【０００５】
このように、情報タブを備える外側片を、内側に積層される内側片との二重構造とする収納箱は、箱体を形成する４枚の側面に加えて、情報タブが設けられた外側片を設ける必要があり、あるいは、さらに糊付けをするための接着片を設ける必要があるため、ブランクシートの面積が広くなって製造コストが高くなる問題点がある。ここで、情報タブが設けられた外側片を接着片に兼用することも可能であるが、この構造では、ブランクシートを多少は節約できるが、糊付けする部分に制約を受けるため、組み立て工程が複雑になって簡単かつ低コストに製造できない問題点があった。
【０００６】
また、外側片に設けた情報タブの一部を開放された切断縁とする構造は、この部分を切り取り開始部分としてスムーズに切り離しできる特徴があるものの、広い開放部が他の部材等に引っかかって折り曲げられたり、切断される等して損傷を受けやすく、また、不用意に切り取り線が切断されるおそれもあった。
【０００７】
これに対して、特許文献４の公報には、４枚の側面を境界縁で折曲し、両側縁を接着片で連結して筒体形状に組み立ててなる収納箱が記載される。この収納箱は、一の側面には収納物についての情報を示す表示事項が印刷された表示部を設けており、さらに、この表示部の周囲を破断線で囲んで、表示部を備える情報タブを切り離し自在に設けている。この構造の収納箱は、情報タブの全周を破断線で囲む状態として側面に連結するので、情報タブを設けた側面を二重構造とすることなく４枚の側面を連結して全体を筒体形状に形成できる。このため、使用する紙の量を少なくして低コストにできる特徴がある。
【０００８】
また、この収納箱は、情報タブの一辺を開放された切断縁とすることなく、情報タブの全周を破断線を介して側面に連結している。この収納箱は、情報タブを切り離す際の切り離し開始部を設けるために、情報タブの一方の端縁に隣接して押し込み部を設けている。この収納箱は、情報タブを切り離す際には、指先で押し込み部を押圧し、押し込み部と情報タブとの境界の破断線を切断して、情報タブの外側に凹部を形成する。この凹部に指先を挿入して情報タブの一端を摘んで情報タブを切断方向に引っ張ることで情報タブを側面から除去できるようにしている。
【先行技術文献】
【特許文献】
【０００９】
【特許文献１】実用新案登録第３１７２０９９号公報
【特許文献２】実用新案登録第３１８９９４２号公報
【特許文献３】実用新案登録第３１８４６０３号公報
【特許文献４】実用新案登録第３１８４６０４号公報
【特許文献５】意匠登録第１４７６３２４号公報
【発明の概要】
【発明が解決しようとする課題】
【００１０】
ただ、以上の収納箱は、情報タブを切り離す際には、押し込み部を指先で押圧して内側に窪ませて凹部を形成する必要があり、この時の押し込み部を押圧する力加減が難しいという問題点がある。例えば、押す力が小さ過ぎると破断線を押し破ることができず、反対に押す力が大きすぎると破断線以外の部分まで破ってしまい、このとき、情報タブ側の紙を損傷すると、表示部の表示内容まで損傷するおそれがあった。
【００１１】
さらに、この収納箱は、情報タブを切り離して分離する際に、情報タブの切断方向における終端に設けた破断線において、情報タブを綺麗に切り離しできないことがあった。例えば、一般的な破断線は、切断部と非切断部とを交互に設けたミシン目状であるため、この破断線に対して交差する方向に情報タブを引っ張って分離しようとすると、非切断部が破断線上で切断されずに、破断線に対して交差する方向に紙の一部が連続する状態で剥がされて、情報タブを綺麗に切り離しできないことがあった。さらに、情報タブの終端縁に残存する紙の残骸を除去しようとして無理に引っ張ると、情報タブの表面の紙の一部まで剥がれて、表示部の表示内容を破損してしまうこともあった。
【００１２】
本発明は、従来のこのような問題点を解決するためになされたものである。本発明の目的の一は、使用する紙の量を低減して低コストに製造しながら、側面に設けた情報タブを収納箱から分離する際には、簡単かつ容易に、しかも綺麗に切断して情報タブに表示された情報を破損しないようにできる紙製の収納箱及びその製造装置並びに収納箱の製造方法を提供することを目的とする。
【課題を解決するための手段及び発明の効果】
【００１３】
本発明の一の側面に係る収納箱によれば、収納物を収納するための箱形に形成された紙製の収納箱であって、複数の側面と、該複数の側面で区画された開口端を閉塞する閉塞面とを備え、前記複数の側面の内、少なくとも一面を、収納物に関する情報を印字した情報表示領域を有する情報表示面としており、前記情報表示領域の周囲に、複数の破断線分を一直線上に離間した切り取り線を設けており、該切り取り線で情報表示領域を含む領域を切断することにより、情報タブとして利用可能としており、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けることができる。上記構成により、折り目に沿って設けられた交差切れ目を有する第一切り取り線と第二切り取り線でもって、容易に情報タブを収納箱から分離させることを可能にしつつ、これらと交差する第三切り取り線については破断線分のみとして、情報タブの未切除状態における収納箱の強度を維持することができ、収納箱の強度維持と情報タブの切り離し作業の容易化を両立させることができる。
【００１４】
また本発明の他の側面に係る収納箱によれば、上記構成に加えて、前記第三切り取り線は、該第三切り取り線を構成する各破断線分を長さを、第一切り取り線及び第二切り取り線を構成する各破断線分を長さよりも短く形成することができる。上記構成により、第三切り取り線を、第一切り取り線や第二切り取り線よりも破断され難い強固なものとして、収納箱の剛性を高めつつ、情報タブの破断時においては、第一切り取り線及び第二切り取り線に沿って情報タブを引き剥がすようにして破断を可能としている。
【００１５】
さらに本発明の他の側面に係る収納箱によれば、上記構成に加えて、前記箱状が、幅よりも厚さを薄くしており、前記情報タブを設けた側面を、厚さ方向の面とすることができる。上記構成により、厚さ方向の幅狭の面を折り目に沿って収納箱から切り取ることで、そのまま情報タブとして利用することが可能となる。
【００１６】
さらに本発明の他の側面に係る収納箱によれば、複数の側面を有する箱状に形成された紙製の収納箱であって、複数の側面１０の内、一面を、収納物に関する情報を印字した情報表示領域５０を有する情報表示面３として、情報表示領域５０を切り取り線４で囲んで、切り取り線４で切断することにより、情報表示領域５０を含む情報タブ５として利用可能としている。切り取り線４は、情報タブ５を分離する際の切断方向に沿うように延伸されており、切り取り線４の少なくとも一部は、切り取り線４の延伸方向に対して交差する交差切れ目４５を切り取り線４に沿って設けている。情報タブ５は、外形を略矩形状とすると共に、少なくとも長手方向の一辺を、側面１０の周縁に形成された折り目に位置させると共に、この一辺の一端に位置する隅部を折り目から突出させて切断開始部５１としている。さらに、情報タブ５は、長手方向の内、切断開始部５１と反対側の端部が先端に向かって次第に幅が小さくなる尻すぼみ状に形成されている。
【００１７】
上記構成により、一の側面である情報表示面に表示された情報表示領域を切り取り線で切断して情報タブとして使用する構造としながら、この情報タブを速やか且つ確実に、しかも綺麗に切断でき、印字された情報が破損することを有効に防止できる特徴がある。とくに、この収納箱は、切り離される情報タブの少なくとも一辺を収納箱の折り目に位置させると共に、この一辺の片側に位置する隅部を折り目から突出させて切断開始部とするので、この部分に指先を引っ掛ける状態で簡単に切り離しを開始できる。また、切り離される情報タブは、切断開始部と反対側の端部を先端に向かって次第に幅が小さくなる尻すぼみ状に形成するので、情報タブの切り離しの終端部分をスムーズに切断して、この終端部分を綺麗にできる。このため、切り離された情報タブの表示部分を破損させることなく、情報表示領域に記載された内容を有する情報タブとして便利に活用できる。
【００１８】
さらにまた、本発明の他の側面に係る紙製の収納箱によれば、上記構成に加えて、情報タブ５を、情報表示面３の長手方向における中心から偏心させることができる。
【００１９】
上記構成により、情報表示領域を情報表示面の端部側に偏在させて、他の領域を別の表示のための領域として確保でき、例えば、収納物の商品ロゴや模様の表示といった領域に活用することで、デザインの自由度を高めることができる。
【００２０】
さらにまた、本発明の他の側面に係る紙製の収納箱によれば、上記いずれかの構成に加えて、情報タブ５が、尻すぼみ状の端部５２において、略矩形状の隅部をカットすることができる。
【００２１】
上記構成により、情報タブを分離した後の情報表示面において、尻すぼみ状の端部と対向する部分に矩形状の隅部を残すことで箱状の形態を維持するための強度を残すことができる。
【００２２】
さらにまた、本発明の他の側面に係る紙製の収納箱によれば、上記いずれかの構成に加えて、情報タブ５が、尻すぼみ状の端部５２の先端縁を、情報表示面３の長手方向の端縁に形成された折り目に位置させることができる。
【００２３】
上記構成により、情報表示面から切り離される情報タブを情報表示面の端縁部に外観良く配置できる。また、情報タブ以外の領域を広く確保して有効に利用できる。また、尻すぼみ状の端部の先端縁を、情報表示面の端縁に形成された折り目に位置させることで、尻すぼみ状の端部の先端縁に設けた切り取り線を目立たなくできる特徴もある。
【００２４】
さらにまた、本発明の他の側面に係る紙製の収納箱によれば、上記いずれかの構成に加えて、情報タブ５が、尻すぼみ状の端部５２の先端縁を切断線４６として、情報表示面３から切り離すことができる。
【００２５】
上記構成により、情報表示面から切り離される情報タブの切断方向における終端部分となる端縁を切断線とすることで、この終端部分を簡単かつ綺麗に分離できる。
【００２６】
さらにまた、本発明の他の側面に係る紙製の収納箱によれば、上記いずれかの構成に加えて、情報タブ５が、尻すぼみ状の端部５２の切り取り線４の中間に、未破断部４７を設けることができる。
【００２７】
上記構成により、情報タブを有する情報表示面の尻すぼみ状の端部の切り取り線が切断部により大きく開口されるのを未破断部により有効に防止できる。
【００２８】
さらにまた、本発明の他の側面に係る紙製の収納箱によれば、上記いずれかの構成に加えて、切り取り線４が、側面１０の周縁に形成された折り目に位置して、情報タブ５の長手方向の一辺を構成する第一切り取り線４１と、第一切り取り線４１と平行に延伸されて、情報タブ５の長手方向の他の一辺を構成する第二切り取り線４２と、第一切り取り線４１の一端であって、切断開始部５１の端縁から第二切り取り線４２に向かって延伸された第三切り取り線４３と、尻すぼみ状の端部５２の周縁に沿って形成された第四切り取り線４４とを備えることができる。第一切り取り線４１、第二切り取り線４２、及び第三切り取り線４３は、情報タブ５の内側に延びる交差切れ目４５を備えると共に、第四切り取り線４４が、情報タブ５の外側に延びる交差切れ目４５を備えることができる。
【００２９】
上記構成により、切断開始部から切り取られる情報タブを、切断開始時には第一切り取り線と第二切り取り線に沿って無理なく切断しながら、互いに平行に延びる第一切り取り線と第三切り取り線に沿って長手方向にスムーズに切断し、さらに、切断終了時には第四切り取り線に沿って確実に切断できる。とくに、尻すぼみ状の端部においては、交差切れ目を情報タブの外側に延びる形状とするので、情報タブの表面の紙が情報タブの外側まで剥がれる事態を確実に阻止しながら、無理なくしかも綺麗に切断できる。
【００３０】
さらにまた、本発明の他の側面に係る紙製の収納箱によれば、上記いずれかの構成に加えて、第一切り取り線４１及び第二切り取り線４２が、情報表示面３の対向縁に形成された折り目に位置しており、第一切り取り線４１に設けた交差切れ目４５を、切り取り線４の延伸方向に対して傾斜する傾斜切れ目４５ａとし、第二切り取り線４２に設けた交差切れ目４５を、切り取り線４の延伸方向に対して直交する直交切れ目４５ｂとすることができる。
【００３１】
上記構成により、第一切り取り線及び第二切り取り線を情報表示面の周縁に形成される折り目に位置させることで、切り取り線を目立たなくして外観良く配置しながら、情報タブの切断時には、切り取り線を折り目に沿って綺麗に切断できる。このため、切り離された情報タブの外観を美しくできる。また、第二切り取り線に設けた交差切れ目を直交切れ目とすることで、第二切り取り線を設けた折り目を折り曲げた状態で、第二切り取り線の切断部分が大きく開くのを有効に防止できる。
【００３２】
さらにまた、本発明の他の側面に係る紙製の収納箱によれば、上記いずれかの構成に加えて、第二切り取り線４２が、情報表示面３の中間に位置しており、第一切り取り線４１及び前記第二切り取り線４２に設けた交差切れ目４５を、切り取り線４の延伸方向に対して傾斜する傾斜切れ目４５ａとすることができる。
【００３３】
上記構成により、第二切り取り線を情報表示面の中間に配置することにより、情報表示面における情報タブ以外の領域を広く確保して有効に利用できる。また、第一切り取り線及び第二切り取り線に設ける交差切れ目を傾斜切れ目とすることで、情報タブの切断時には、長手方向に平行に延びる第一切り取り線と第二切り取り線に沿って、情報タブをスムーズに切断できる。
【００３４】
さらにまた、本発明の他の側面に係る紙製の収納箱によれば、上記いずれかの構成に加えて、第三切り取り線４３を、情報タブ５の短手方向から長手方向に湾曲された湾曲ラインとすることができる。
【００３５】
上記構成により、収納箱の折り目から突出する切断開始部を起点として短手方向に切断を開始しながら、湾曲ラインである第三切り取り線に沿って切断方向を長手方向に移行させて、長手方向に延びる情報タブをスムーズに切断できる。
【００３６】
さらにまた、本発明の他の側面に係る紙製の収納箱によれば、上記いずれかの構成に加えて、情報タブ５が、切断開始部５１側の端部を、略矩形状の隅部をカットしてなる形状としており、切断開始部５１側の端部５３の先端縁を情報表示面３の長手方向の端縁に形成された折り目に位置させることができる。
【００３７】
上記構成により、情報タブを分離した後の情報表示面において、切断開始部側の端部と対向する部分に矩形状の隅部を残すことで箱状の形態を維持するための強度を残すことができる。
【００３８】
さらにまた、本発明の他の側面に係る紙製の収納箱によれば、上記いずれかの構成に加えて、情報タブ５が、中央部に段差凹部５５を形成して、この段差凹部５５を情報表示領域５０とすることができる。
【００３９】
上記構成により、情報タブの中央部に設けた段差凹部に、収納物に関する情報を印字して情報表示領域とするので、印字部分が外部に接触して表示された情報が視認できなくなる事態を回避できる。
【００４０】
さらにまた、本発明の他の側面に係る紙製の収納箱によれば、上記いずれかの構成に加えて、複数の側面１０が、互いに側縁で連結された第一側面１１、第二側面１２、第三側面１３、及び第四側面１４で構成されると共に、第一側面１１の側縁に沿って接着片１５を連設し、接着片１５を第四側面１４に糊付けして全体の形状を四角筒状とし、第二側面１２または第三側面１３を情報表示面３として、情報タブ５を設けることができる。
【００４１】
上記構成により、使用する紙の量を低減しながら、切り離し可能な情報タブを情報表示面に設けることができる。
【００４２】
さらにまた、本発明の他の側面に係る紙製の収納箱によれば、上記いずれかの構成に加えて、対向する側面１０が積層される姿勢に折り畳んだ状態を初期状態として取り扱い可能とし、初期状態における折り目に切り取り線４を配置すると共に、この切り取り線４が、切り取り線４の延伸方向と直交する直交切れ目４５ｂである交差切れ目４５を備えることができる。
【００４３】
上記構成により、収納箱を折り畳んだ初期状態で、折り目に位置する切り取り線の切断部分が大きく開く事態を回避できる。
【００４４】
さらにまた、本発明の他の側面に係る紙製の収納箱によれば、上記いずれかの構成に加えて、前記複数の側面の内、前記情報表示面以外に、第二情報表示領域を設けることができる。
【００４５】
さらにまた、本発明の他の側面に係る紙製の収納箱によれば、上記いずれかの構成に加えて、前記交差切れ目を、各切り取り線を構成する破断線分の延伸方向に対して５０°〜８０°に傾斜させることができる。
【００４６】
さらにまた、本発明の他の側面に係る紙製の収納箱によれば、上記いずれかの構成に加えて、前記交差切れ目を設ける間隔を、第一切り取り線及び第二切り取り線の破断線分の長さに対して１．２〜１．８とすることができる。
【００４７】
さらにまた、本発明の他の側面に係る紙製の収納箱によれば、上記いずれかの構成に加えて、前記第一切り取り線及び第二切り取り線の破断線分を設ける間隔を、該破断線分の長さに対して、４０％〜７０％とすることができる。
【図面の簡単な説明】
【００４８】
【図１】本発明の実施形態１に係る紙製の収納箱を示す斜視図である。
【図２】図１の収納箱の展開図である。
【図３】図１の収納箱の平面図である。
【図４】図３の収納箱の背面図である。
【図５】図３の収納箱の右側面図である。
【図６】図３の収納箱の左側面図である。
【図７】図３の収納箱の平面図である。
【図８】図３の収納箱の底面図である。
【図９】図２の展開図の一部拡大図である。
【図１０】図１の収納箱の上端を開いて情報タブを切り離そうとする状態を示す斜視図である。
【図１１】図１０の収納箱から情報タブを切り離す状態を示す斜視図である。
【図１２】切り離した情報タブを示す平面図である。
【図１３】切り離した情報タブを引き出しのネームタグに利用する様子を示す斜視図である。
【図１４】耐圧試験の結果を示す斜視図である。
【図１５】変形例に係る紙製の収納箱を示す展開図である。
【図１６】本発明の実施形態２に係る紙製の収納箱の斜視図である。
【図１７】図１６に示す収納箱の展開図である。
【図１８】図１６に示す収納箱の情報タブを切り離す状態を示す斜視図である。
【図１９】本発明の実施形態３に係る紙製の収納箱の斜視図である。
【図２０】図１９に示す収納箱の展開図である。
【図２１】本発明の実施形態４に係る紙製の収納箱の斜視図である。
【図２２】図２１に示す収納箱の展開図である。
【図２３】本発明の実施形態５に係る紙製の収納箱の斜視図である。
【図２４】図２３に示す収納箱の展開図である。
【図２５】本発明の実施形態６に係る紙製の収納箱の斜視図である。
【図２６】図２５に示す収納箱の展開図である。
【図２７】本発明の実施形態７に係る紙製の収納箱の展開図である。
【図２８】本発明の実施形態８に係る紙製の収納箱の斜視図である。
【図２９】図２８に示す収納箱の展開図である。
【図３０】本発明の実施形態９に係る紙製の収納箱の展開図である。
【図３１】図３１Ａは本発明の実施形態１０に係る紙製の収納箱を示す展開図、図３１Ｂは図３１ＡのＸＸＸＩＢ−ＸＸＸＩＢ線における断面と打抜型を示す断面図である。
【図３２】比較例１に係る紙製の収納箱を示す斜視図である。
【発明を実施するための形態】
【００４９】
以下、本発明の実施の形態を図面に基づいて説明する。ただし、以下に示す実施の形態は、本発明の技術思想を具体化するための紙製の収納箱及びその製造装置並びに収納箱の製造方法を例示するものであって、本発明は紙製の収納箱及びその製造装置並びに収納箱の製造方法を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００５０】
実施形態１に係る紙製の収納箱１００Ａを、図１、図２、図３、図４、図５、図６、図７、図８、図９、図１０、図１１、図１２、図１３に示す。これらの図において、図１は本発明の実施形態１に係る紙製の収納箱１００Ａを示す斜視図、図２は図１の収納箱１００Ａの展開図、図３は図１の収納箱１００Ａの平面図、図４は図３の収納箱１００Ａの背面図、図５は図３の収納箱１００Ａの右側面図、図６は図３の収納箱１００Ａの左側面図、図７は図３の収納箱１００Ａの平面図、図８は図３の収納箱１００Ａの底面図、図９は図２の展開図の一部拡大図、図１０は図１の収納箱１００Ａの上端を開いて情報タブを切り離そうとする状態を示す斜視図、図１１は図１０の収納箱１００Ａから情報タブを切り離す状態を示す斜視図、図１２は切り離した情報タブを示す平面図、図１３は切り離した情報タブを引き出しのネームタグに利用する様子を示す斜視図を、それぞれ示している。これらの図に示す収納箱１００Ａは、収納物を収納するための箱形に形成されている（図１等参照）。収納物としては、医薬品や化学品、食品等が挙げられる。以下では、医薬品を収納する収納箱について説明する。
（箱本体１）
【００５１】
収納箱１００Ａは、図２の展開図に示すように紙製のシートを所定の形状に裁断した後、折曲及び糊付けされて所定の立体形状である箱型に製作される。箱形に形成された収納箱１００Ａは、複数の側面１０Ａと、各側面１０Ａで区画された開口端を閉塞する閉塞面とを備えている。図１の斜視図に示す例では、箱形は幅よりも厚さを薄くしており、幅広の主面となる側面２枚と、厚さ側の幅狭の側面２枚の、計４枚の側面１０Ａと、これら４枚の側面１０Ａで構成された中空の筒状の上下端縁をそれぞれ閉塞する天面と底面の２枚の閉塞面で構成される。
【００５２】
図２の展開図に示す収納箱１００Ａは、４枚の側面１０Ａで四角筒状に形成された箱本体１Ａと、この箱本体１Ａの両端開口部を閉塞する閉塞面２とを備えている。箱本体１Ａは、図２の展開図に示すように、互いに側縁（組立時には折り目となる）で連結された第一側面１１Ａ、第二側面１２Ａ、第三側面１３Ａ、及び第四側面１４Ａからなる４面の側面１０Ａで構成されている。４枚の側面１０Ａは、互いに対向する側面１０Ａ同士、すなわち、第一側面１１Ａと第三側面１３Ａを合同な長方形とし、第二側面１２Ａと第四側面１４Ａを合同な長方形としている。
（側面１０）
【００５３】
４枚の側面１０Ａは、各々の境界において折曲線１８Ａによって山折りされて、全体を四角形の筒状に形成されている。４枚の側面１０Ａを角筒状に連結するために、図２の収納箱１００Ａは、第四側面１４Ａの側縁に沿って接着片１５Ａを設けており、この接着片１５Ａを、第一側面１１Ａの側縁部の内面に接着することで、第一側面１１Ａと第四側面１４Ａとを側縁で連結して、全体の形状を筒状とする。図１に示す収納箱１００Ａは、第一側面１１Ａと第三側面１３Ａとを幅の広い主面として、図１に示す起立姿勢において、この主面が正面及び背面に位置するように構成している。また、後述する情報タブを設けた側面は、厚さ方向の面としている。これにより、厚さ方向の幅狭の面を折り目に沿って収納箱１００Ａから切り取ることで、そのまま情報タブとして利用することが可能となる。
（閉塞フラップ２０Ａ、３０Ａ）
【００５４】
さらに、四角筒状に形成される箱本体１Ａは、各側面１０Ａの両端に閉塞フラップ２０Ａ、３０Ａを連設して設けており、これ等の閉塞フラップ２０Ａ、３０Ａにより、箱本体１Ａの両端を閉塞する閉塞面２Ａを構成している。図２等に示す閉塞フラップ２０Ａ、３０Ａは、側面１０Ａに対して内側に折曲されて、四角筒状に形成された箱本体１Ａの開口部を閉塞する。図に示す収納箱１００Ａは、角筒状の箱本体１Ａを上下方向に起立させる姿勢としている。この収納箱１００Ａは、上面側に位置する閉塞フラップ２０Ａを天面フラップとし、下面側に位置する閉塞フラップ３０Ａを底面フラップとしている。ただ、収納箱は、必ずしも上下方向に起立する姿勢で使用する必要はなく、水平方向に配置する構造とすることもできる。
【００５５】
天面フラップを構成する閉塞フラップ２０Ａは、第一フラップ２１Ａ、第二フラップ２２Ａ、第三フラップ２３Ａ、及び第四フラップ２４Ａからなる４面の閉塞フラップ２０Ａを有している。また、底面フラップを構成する閉塞フラップ３０Ａは、第一フラップ３１Ａ、第二フラップ３２Ａ、第三フラップ３３Ａ、及び第四フラップ３４Ａからなる４面の閉塞フラップ３０Ａを有している。
【００５６】
天面フラップとなる４面の閉塞フラップ２０Ａと、底面フラップとなる４面の閉塞フラップ３０Ａは、各側面１０Ａの両端に連設して設けられている。すなわち、第一側面１１Ａの両端には第一フラップ２１Ａ、３１Ａが、第二側面１２Ａの両端には第二フラップ２２Ａ、３２Ａが、第三側面１３Ａの両端には第三フラップ２３Ａ、３３Ａが、さらに第四側面１４Ａの両端には第四フラップ２４Ａ、３４Ａが連結して設けられている。各側面１０Ａと各フラップは、山折りされる折曲線１９Ａを介して連結されている。
【００５７】
閉塞フラップ２０Ａ、３０Ａは、第二フラップ２２Ａ、３２Ａと第四フラップ２４Ａ、３４Ａを箱本体１Ａに対して内側に折曲する状態で、第一フラップ２１Ａ、３１Ａを内側に折曲して第二フラップ２２Ａ、３２Ａ及び第四フラップ２４Ａ、３４Ａに積層し、さらに、第三フラップ２３Ａ、３３Ａを内側に折曲して第一フラップ２１Ａ、３１Ａに積層して箱本体１Ａの両端開口部を閉塞する。第三フラップ２３Ａ、３３Ａは、先端部の内側面が第一フラップ２１Ａ、３１Ａに糊付けして固定される。さらに、天面フラップを構成する閉塞フラップ２０Ａから連なる第一側面１１Ａは、図１等に示すように、第一側面１１Ａの上部において、隅部から円弧状に延びる破断線２５Ａを備えている。この閉塞フラップ２０Ａは、破断線２５Ａを破断して第一側面１１Ａの一部及び第一フラップ２１Ａを、第三フラップ２３Ａと糊付けされた状態から剥離し、さらに閉塞状態に折曲されていた第三フラップ２３Ａ、第二フラップ２２Ａ及び第四フラップ２４Ａを開いて、箱本体１Ａの上端開口を開放し、内部に収納された収納物を取り出しできるようにしている。
（情報表示面３Ａ）
【００５８】
以上の収納箱１００Ａは、複数の側面１０Ａの内の一面、図１等においては、第四側面１４Ａを収納物に関する情報を印字した情報表示領域５０Ａを有する情報表示面３Ａとしている。図に示す収納箱１００Ａは、情報表示領域５０Ａを切り取り線４Ａで囲んでおり、切り取り線４Ａで切断することにより、図１２に示すように情報表示領域５０Ａを含む情報タブ５Ａとして利用可能としている。情報タブ５Ａは、収納箱１００Ａを開封後に、収納箱１００Ａから切り取って分離し、利用できる。例えば、収納箱１００Ａから取り出した医薬品を保管棚に移し替える際、図１３に示すように引き出しの正面に配置することで、ネームプレートとして利用できる。また、医薬品の内包装やＰＴＰシートに添付することもできる。このようにして、情報タブを医薬品の識別や在庫管理に利用して、使用者が一々医薬品名や製造番号、使用期限などの情報を転記する手間を省くことができる。
【００５９】
情報タブに含まれる情報には、収納物に関する種々の情報を含むことができる。例えば上述した医薬品の場合は、医薬品の製品名、製造番号、使用期限、国番号、医薬品番号、製造メーカー名、包装単位を文字あるいはシンボル（例えばバーコードや医薬品コード、ＧＳ１データバー、ＧＳ１−１２８等）が挙げられる。
【００６０】
なお、図１２に示す情報タブ５Ａには、閉塞フラップが付加されているが、必要に応じて閉塞フラップを切断しても良い。また閉塞フラップを切断し易いように、境界部分の折り目に切り取り線を設けてもよい。
【００６１】
図１に示す収納箱１００Ａは、箱本体１Ａの形状を上下方向に延びる筒状としているので、情報表示面３Ａとなる第四側面１４Ａを上下方向に延長された矩形状として、この下端部に情報タブ５Ａを配置している。図に示す収納箱１００Ａは、情報タブの長手方向を、上下方向としている。
（情報タブ５Ａ）
【００６２】
情報タブ５Ａは、情報表示面３Ａから切り離された状態で、外形を略矩形状とする形状であって、少なくとも長手方向の一辺を、側面１０Ａの周縁に形成された折り目に位置させている。図１等に示す情報タブ５Ａは、長手方向の二辺を形成する切り取り線４Ａを側面１０Ａの対向縁に形成された折り目に位置させている。すなわち、図１等に示す情報タブ５Ａは、短手方向の長さを、情報表示面３Ａである第四側面１４Ａの横幅と等しくしている。さらに、図に示す情報タブ５Ａは、情報表示面３Ａの長手方向における中心から偏心させた位置に配置されている。この構造は、情報タブ５Ａを情報表示面３Ａの端縁部に外観良く配置でき、情報タブ５Ａ以外の領域を広く確保して有効に利用できる。
（切り取り線４Ａ）
【００６３】
情報表示領域の周囲には切り取り線４Ａが設けられ、切り取り線４Ａで情報表示領域を含む領域を切断することにより、収納箱１００Ａから切り離して情報タブ５Ａをとして利用可能となる。切り取り線４Ａは、図９の拡大平面図に示すように、第一切り取り線４１Ａ、第二切り取り線４２Ａ、第三切り取り線４３Ａで構成される。第一切り取り線４１Ａ及び第二切り取り線４２Ａは、情報表示面３Ａの両側にそれぞれ隣接する他の側面との境界である折り目に沿って、情報表示面３Ａの中間まで各々延長されている。また第三切り取り線４３Ａは、情報表示面３Ａの中間において、第一切り取り線４１Ａと第二切り取り線４２Ａの端縁同士を結ぶように延長されている。
【００６４】
第一切り取り線４１Ａ及び第二切り取り線４２Ａは、各切り取り線を構成する破断線分の延伸方向に対して交差する交差切れ目を該切り取り線に沿って離間して設けている。一方第三切り取り線４３Ａは、この第三切り取り線４３Ａを構成する各破断線分を長さを、第一切り取り線４１Ａ及び第二切り取り線４２Ａを構成する各破断線分を長さよりも短く形成している。このようにして、折り目に沿って設けられた交差切れ目を有する第一切り取り線４１Ａと第二切り取り線４２Ａでもって、容易に情報タブ５Ａを収納箱１００Ａから分離させることを可能にしつつ、これらと交差する第三切り取り線４３Ａについては破断線分のみとして、情報タブ５Ａの未切除状態における収納箱１００Ａの強度を維持することができ、収納箱１００Ａの強度維持と情報タブ５Ａの切り離し作業の容易化を両立させることができる。
（交差切れ目）
【００６５】
交差切れ目は、第一切り取り線４１Ａ及び第二切り取り線４２Ａの延伸方向に対して、傾斜角度θで傾斜させている。傾斜角度θは、好ましくは５０°〜８０°、より好ましくは６０°〜７５°とし、最も好ましくは７０°とする。本発明者らの行った試験によれば、傾斜角度を小さくするほど、情報タブ５Ａを分離させる際に破断し易くできるものの、破断前の収納箱の状態での強度が弱くなる。一方で傾斜角度を９０°とすると、強度は増すものの、破断し難くなる。そこで、従来の収納箱では４５°に設定されていた。しかしながら、本発明者らの行った試験によれば、４５°では強度が若干不足することが判明した。そこで試行錯誤した結果、上述した範囲に傾斜角度を設定することで、より強度を高めつつも、破断の易容易性を維持できることを見出した。
【００６６】
さらに、交差切れ目を設ける間隔ｄ1を、破断線分の長さｄ2に対して１．２〜１．８倍、好ましくは１．４〜１．７倍、より好ましくは１．５〜１．６倍としている。図９の例では、交差切れ目を設ける間隔ｄ1を７．６ｍｍ、破断線分の長さｄ2を４．８ｍｍとして、祖比率を約１．５８倍としている。本発明者らの行った試験によれば、この範囲に設定することで、切り取り線を設けた収納箱の強度を高められることが判明した（詳細は後述）。
【００６７】
また第一切り取り線４１Ａ及び第二切り取り線４２Ａの破断線分を設ける間隔ｄ3は、破断線分の長さｄ2に対して、４０％〜７０％、好ましくは４５％〜６５％、より好ましくは５０％〜６０％としている。図９の例では、第一切り取り線４１Ａ及び第二切り取り線４２Ａの破断線分を設ける間隔ｄ3を２．８ｍｍとし、破断線分の長さｄ2である４．８に対して、約０．５８としている。本発明者らの行った試験によれば、この範囲に設定することで、切り取り線を設けた収納箱の強度を高められることが判明した（詳細は後述）。
（耐圧試験結果）
【００６８】
以上のようにして得られた実施形態１に係る収納箱を試作して実施例１とし、耐圧試験を行った結果を図１４に示す。ここでは、徳島県立徳島工業技術センターにおいて２０１６年４月１２日に、株式会社島津製作所製圧縮試験機ＡＧ‐５０００Ｄを用いて、図１４においてＡ、Ｂ、Ｃそれぞれの方向における圧縮試験を行った結果の最大荷重（Ｎ）を示している。ｎ値は、Ａ、Ｃ（ｎ＝１）、Ｂ（ｎ＝３）である。この結果、Ａ方向において１４２．６５Ｎ、Ｂ方向において１５８．４３Ｎ（平均値）、Ｃ方向において２９１．７１Ｎという高い数値が得られた。なお、実施例１に係る収納箱の材質は厚紙で、厚さ０．４０ｍｍ、３１０ｇ／ｍ2である。また収納箱の寸法は、縦５００ｍｍ、横７０ｍｍ、高さ１７０ｍｍである。
【００６９】
なお、上述した実施形態１では、情報タブ５Ａを切り出す情報表示面３Ａを、側面の内の一面のみとした構成を示したが、本発明はこの構成に限らず、情報表示面を複数設けてもよい。このような例を変形例として図１５の展開図に示す。この図に示す紙製の収納箱１００Ａは、情報表示面３Ａを、厚さ方向を構成する側面に加えて、この面と対向する他の厚さ方向の側面にも第二情報表示面３Ｂを設けている。この第二情報表示面３Ｂを切り出すことで、第二情報タブ５Ｂを得ることができる。このように、複数の側面に情報タブを切り出し可能な情報表示面とすることで、一方の面において情報タブの切り出しをし損じても、他方の情報表示面でやり直すことが可能となる。また、これらの情報表示面は、同一とする例に限らず、異ならせてもよい。例えば、同じ情報を異なる態様でさせてもよい。例として、レイアウトを変更したり、縦書きと横書きで表示させたり、英語と日本語等、言語を変更させて表示させる等が挙げられる。特に、言語を変更すれば、一のパッケージで国内仕様と海外仕様を兼用させることができる。また、情報タブの切り出し位置や切り出す情報タブの大きさ、形状等も異ならせても良い。
（実施形態２）
【００７０】
次に実施形態２に係る紙製の収納箱を図１６ないし図１８に示す。これらの図の収納箱は、紙製のシートを所定の形状に裁断した後、折曲及び糊付けされて所定の立体形状である箱型に製作される。
（箱本体１）
【００７１】
図１６に示す収納箱１００は、複数の側面１０を有する箱状に形成されている。図に示す収納箱１００は、４枚の側面１０で四角筒状に形成された箱本体１と、この箱本体１の両端開口部を閉塞する閉塞面２とを備えている。箱本体１は、図１７の展開図に示すように、互いに側縁で連結された第一側面１１、第二側面１２、第三側面１３、及び第四側面１４からなる４面の側面１０で構成されている。４枚の側面１０は、互いに対向する側面１０同士、すなわち、第一側面１１と第三側面１３を合同な長方形とし、第二側面１２と第四側面１４を合同な長方形としている。
（側面１０）
【００７２】
４枚の側面１０は、各々の境界において折曲線１８によって山折りされて、全体を四角形の筒状に形成されている。４枚の側面１０を角筒状に連結するために、図の収納箱１００は、第一側面１１の側縁に沿って接着片１５を設けており、この接着片１５を、第四側面１４の側縁部の内面に接着して、第一側面１１と第四側面１４とを側縁で連結して、全体の形状を筒状としている。図１６に示す収納箱は、第一側面１１と第三側面１３とを幅の広い主面として、図１６に示す起立姿勢において、この主面が正面及び背面に位置するように構成している。
（閉塞フラップ２０、３０）
【００７３】
さらに、四角筒状に形成される箱本体１は、各側面１０の両端に閉塞フラップ２０、３０を連設して設けており、これ等の閉塞フラップ２０、３０により、箱本体１の両端を閉塞する閉塞面２を構成している。図に示す閉塞フラップ２０、３０は、側面１０に対して内側に折曲されて、四角筒状に形成された箱本体１の開口部を閉塞する。図に示す収納箱は、角筒状の箱本体１を上下方向に起立させる姿勢としている。この収納箱は、上面側に位置する閉塞フラップ２０を天面フラップとし、下面側に位置する閉塞フラップ３０を底面フラップとしている。ただ、収納箱は、必ずしも上下方向に起立する姿勢で使用する必要はなく、水平方向に配置する構造とすることもできる。
【００７４】
天面フラップを構成する閉塞フラップ２０は、第一フラップ２１、第二フラップ２２、第三フラップ２３、及び第四フラップ２４からなる４面の閉塞フラップ２０を有している。また、底面フラップを構成する閉塞フラップ３０は、第一フラップ３１、第二フラップ３２、第三フラップ３３、及び第四フラップ３４からなる４面の閉塞フラップ３０を有している。
【００７５】
天面フラップとなる４面の閉塞フラップ２０と、底面フラップとなる４面の閉塞フラップ３０は、各側面１０の両端に連設して設けられている。すなわち、第一側面１１の両端には第一フラップ２１、３１が、第二側面１２の両端には第二フラップ２２、３２が、第三側面１３の両端には第三フラップ２３、３３が、さらに、第四側面１４の両端には第四フラップ２４、３４が連結して設けられている。各側面１０と各フラップは、山折りされる折曲線１９を介して連結されている。
【００７６】
閉塞フラップ２０、３０は、第二フラップ２２、３２と第四フラップ２４、３４を箱本体１に対して内側に折曲する状態で、第一フラップ２１、３１を内側に折曲して第二フラップ２２、３２及び第四フラップ２４、３４に積層し、さらに、第三フラップ２３、３３を内側に折曲して第一フラップ２１、３１に積層して箱本体１の両端開口部を閉塞する。第三フラップ２３、３３は、先端部の内側面が第一フラップ２１、３１に糊付けして固定される。さらに、天面フラップを構成する閉塞フラップ２０は、図１６に示すように、第三フラップ２３の中央部において、縦方向に延びる破断線２５を備えている。この閉塞フラップ２０は、破断線２５を破断して第三フラップ２３を２分割する状態で箱本体１の上端開口を開放し、内部に収納された収納物を取り出しできるようにしている。
（情報表示面３）
【００７７】
以上の収納箱は、複数の側面１０の内の一面、図においては、第二側面１２を収納物に関する情報を印字した情報表示領域５０を有する情報表示面３としている。図に示す収納箱は、情報表示領域５０を切り取り線４で囲んでおり、切り取り線４で切断することにより、情報表示領域５０を含む情報タブ５として利用可能としている。図１６に示す収納箱は、箱本体１の形状を上下方向に延びる筒状としているので、情報表示面３となる第二側面１２を上下方向に延長された矩形状として、この下端部に情報タブ５を配置している。図に示す収納箱は、情報タブの長手方向を、上下方向としている。
（情報タブ３）
【００７８】
情報タブ５は、情報表示面３から切り離された状態で、外形を略矩形状とする形状であって、少なくとも長手方向の一辺を、側面１０の周縁に形成された折り目に位置させている。図１６に示す情報タブ５は、長手方向の二辺を形成する切り取り線４を側面１０の対向縁に形成された折り目に位置させている。すなわち、図１６に示す情報タブ５は、短手方向の長さを、情報表示面３である第二側面１２の横幅と等しくしている。さらに、図に示す情報タブ５は、情報表示面３の長手方向における中心から偏心させた位置に配置されている。この構造は、情報タブ５を情報表示面３の端縁部に外観良く配置でき、情報タブ５以外の領域を広く確保して有効に利用できる。
【００７９】
さらに、情報タブ５は、この一辺の一端に位置する隅部を折り目から突出させて切断開始部５１としている。図に示す切断開始部５１は、Ｌ字状にカットされた切断縁で構成されている。この切断開始部５１は、折り目に位置する切り取り線４に沿う切断縁とこの切断縁の一端から情報表示面３の内側に延びる切断縁とで形成されている。さらに、図１６に示す切断開始部５１は、折り目に沿う切断縁を、折り目から突出させている。この構造の切断開始部５１は、情報表示面３を裁断して簡単に設けることができる。この切断開始部５１は、突出部分に指先を引っ掛ける状態で、切断開始部５１を摘んで切断方向に引っ張ることで、極めて簡単に情報タブ５の切断を開始することができる。このように、隅部に切断開始部５１を設けた情報タブ５は、簡単かつ容易に情報表示面３から切り取りできる。
【００８０】
さらに、情報タブ５は、長手方向の内、切断開始部５１と反対側の端部を、先端に向かって次第に幅が小さくなる尻すぼみ状に形成して尻すぼみ状の端部５２としている。図に示す情報タブ５は、尻すぼみ状の端部５２において、矩形状の情報表示面３の隅部をカットして略台形状としている。これにより、尻すぼみ状の端部５２の先端縁を短く形成している。このように、切断方向の終端部を尻すぼみ状に形成してなる情報タブ５は、切り離しの終端部分における情報表示面３との連結部分を少なくできるので、終端部分をスムーズに切断できると共に、この終端部分を綺麗にできる。また、尻すぼみ状の端部の形状を、矩形状の隅部をカットしてなる略台形状とする構造は、情報タブ５が分離された後の情報表示面３には隅部が残存するので、箱状の形態を維持するための強度を残すことができる。また、情報表示面３に隅部が残存することで、情報表示面３の端縁には、この隅部を介して第二フラップ３２が接続された状態に保持される。このため、情報タブ５を切り離す状態においても、情報表示面３から第二フラップ３２が分離されることがなく、余分な廃棄物が増えるのを防止できる。
【００８１】
さらに、図に示す情報タブ５は、尻すぼみ状の端部５２の先端縁を、情報表示面３の長手方向の端縁に形成された折り目である折曲線１９に位置させている。これにより、情報タブ５を情報表示面３の端縁部に配置しながら、尻すぼみ状の端部５２の先端縁に設けた切り取り線４を目立たなくできる。ただ、図示しないが、尻すぼみ状の端部の先端縁は、情報表示面の端縁部であって、折り目となる折曲線から離れた位置とすることもできる。この構造は、情報タブを切り離す状態においても、情報表示面の端縁部と第二フラップとの連結強度を高くできる。
【００８２】
さらに、図に示す情報タブ５は、中央部にエンボス加工された段差凹部５５を形成しており、この段差凹部５５を情報表示領域５０として収納物の情報を印字している。このように、情報タブ５に設けた段差凹部５５を情報表示領域５０と構造は、印字部分が外部に直接に接触するのを有効に防止して、外部との接触で表示領域５０が損傷されたり、印字が剥げることにより表示された情報を視認できなくなるのを防止できる。
（切り取り線４）
【００８３】
切り取り線４は、情報タブ５の周囲に沿って形成されると共に、情報タブ５を分離する際の切断方向に沿うように延伸されている。図１６ないし図１８に示す切り取り線４は、側面１０の周縁に形成された折り目に位置して、情報タブ５の長手方向の一辺を構成する第一切り取り線４１と、第一切り取り線４１と平行に延伸されて、情報タブ５の長手方向の他の一辺を構成する第二切り取り線４２と、第一切り取り線４１の一端であって、切断開始部５１の端縁から第二切り取り線４２に向かって延伸された第三切り取り線４３と、尻すぼみ状の端部５２の周縁に沿って形成された第四切り取り線４４とを備えている。
【００８４】
切り取り線４の少なくとも一部は、切り取り線４の延伸方向に対して交差する交差切れ目４５を切り取り線４に沿って設けている。図１６に示す切り取り線４は、切断部と非切断部とを交互に設けてなるミシン目状としており、切断部に対して非切断部を短くすることで切り取り線４を切断しやすくしている。この切り取り線４は、例えば、切断部の長さを５〜１５ｍｍとし、非切断部の長さを０．５〜３ｍｍとし、切断部の長さに対する非切断部の長さの割合を１０〜３０％とすることができる。さらに、図１６に示す切り取り線４は、切断方向において切断部の後端縁に連続して、切り取り線４の延伸方向に対して交差する切断部を設けて交差切れ目４５としている。このように、切り取り線４に交差切れ目４５を設ける構造は、切り取り線４に沿って紙を切断する際に、交差切れ目４５を介して切断方向を連続させながら切断できるので、切り取り線４をスムーズに切断できる特徴がある。
【００８５】
図１６に示す切り取り線４は、第一切り取り線４１、第二切り取り線４２、及び第三切り取り線４３において、ほぼ全体にわたって交差切れ目４５を設けている。これ等の交差切れ目４５は、情報タブ５の内側に向かって延びる形状としている。この切り取り線４は、情報タブ５の切断方向に対して交差する交差切れ目４５を設けることで、無理なくスムーズに切断できる。さらに、図に示す第三切り取り線４３は、情報タブ５の短手方向から長手方向に湾曲された湾曲ラインとしている。この構造は、収納箱の折り目から突出する切断開始部５１を起点として切断を開始しながら、湾曲ラインである第三切り取り線４３に沿って切断方向を長手方向に移行させて、長手方向に延びる情報タブ５をスムーズに切断できる。
【００８６】
さらに、図に示す第四切り取り線４４は、台形状の尻すぼみ状の端部５２の傾斜されたカットラインにおいて、情報タブ５の外側に延びる交差切れ目４５を備えている。この構造の第四切り取り線４４は、切断方向に向かって幅が次第に狭くなる尻すぼみ状の端部５２において、交差切れ目４５を情報タブ５の外側に延長させるので、情報タブ５の表面の紙が情報タブ５の外側まで剥がれるのを阻止しながら綺麗に切断できる。
【００８７】
さらに、図１６に示す第四切り取り線４４は、尻すぼみ状の端部５２の先端縁を切断線４６として、情報表示面３から切り離している。この切り取り線４は、情報表示面３から切り離される情報タブ５の切断方向における終端部分となる端縁を切断線４６とすることで、この終端部分を簡単かつ綺麗に分離できる。ただ、尻すぼみ状の端部５２の先端縁を切断線４６とする構造は、切断部分が長いと、この部分に大きな隙間が開口されやすくなる。そこで、図１６と図１７に示す第四切り取り線４４は、台形状の尻すぼみ状の端部５２の傾斜されたカットラインの中間に、未破断部４７を設けている。これにより、尻すぼみ状の端部５２の先端部が切断部によって大きく開口されるのを防止している。
【００８８】
以上の構造の切り取り線４が周囲に形成された情報タブ５は、切断開始時には切断開始部５１を図１６の矢印で示すように切断方向に引っ張ることで第一切り取り線４１と第二切り取り線４２に沿って無理なく切断されると共に、図１８に示すように、互いに平行に延びる第一切り取り線４１と第三切り取り線４３に沿って長手方向にスムーズに切断される。さらに、切断終了時には第四切り取り線４４に沿って切断され、特に終端縁においては、尻すぼみ状の端部５２の先端縁に設けた切断線４６により確実に切断されて情報表示面３から切り離される。
【００８９】
ここで、図１６と図１７に示す切り取り線４は、第一切り取り線４１及び第二切り取り線４２を情報表示面３の対向縁に形成された折り目である折曲線１８に位置させている。このように、第一切り取り線４１及び第二切り取り線４２を情報表示面３の周縁に形成される折り目に位置させる構造は、切り取り線４を目立たなくして外観良く配置できる。また、情報タブ５の切断時には、切り取り線４を折り目に沿って綺麗に切断でき、切り離された情報タブ５の切断部分を美しくできる。
【００９０】
さらに、図１６と図１７に示す切り取り線４は、第一切り取り線４１に設けた交差切れ目４５を、切り取り線４の延伸方向に対して傾斜する傾斜切れ目４５ａとし、第二切り取り線４２に設けた交差切れ目４５を、切り取り線４の延伸方向に対して直交する直交切れ目４５ｂとしている。このように、第二切り取り線４２に設けた交差切れ目４５を直交切れ目４５ｂとする構造は、第二切り取り線４２を設けた折曲線１８を折り曲げた状態で、第二切り取り線４２の切断部分が大きく開くのを有効に防止できる。
（パターンシート９）
【００９１】
図１７は、図１６に示す収納箱の展開図であって、紙製シートで構成されるパターンシート９を示している。ここで、図１７のパターンシート９は、収納箱を表面側から見た展開図としている。この図において実線は切断された切断縁を示しており、二点鎖線は山折りされる折曲線１８、１９を示している。
【００９２】
以上のパターンシート９は、例えば、第一側面１１と第二側面１２の境界の折曲線１８で第一側面１１を内側に折り畳んで、第二側面１２と第三側面１３の内面に第一側面１１と接着片１５とを積層すると共に、第三側面１３と第四側面１４の境界の折曲線１８で第四側面１４を内側に折り畳んで、第四側面１４の側縁部を接着片１５に重ねた状態で第四側面１４を接着片１５に糊付けして、第一側面１１と第四側面１４とを連結する。このパターンシート９は、以上の状態、すなわち、対向する側面１０が積層される姿勢に折り畳まれた状態を初期状態として、搬送や保管、出荷等の取り扱いをすることができる。これにより、パターンシート９をコンパクトに折り畳んで面積を約半分としながら、取り扱いを楽にできる。また、このパターンシート９は、初期状態における折り目に切り取り線４を配置すると共に、この切り取り線４が直交切れ目４５ｂである交差切れ目４５を備えることができる。この構造は、収納箱を折り畳んだ初期状態で、折り目に位置する切り取り線４の切断部分が大きく開く事態を回避できる。
【００９３】
さらに、本発明の他の実施形態に係る収納箱を以下に示す。なお、以下の実施形態において、図１６ないし図１８に示す前述の実施形態と同じ構成要素については、同符号を付してその詳細な説明を省略する。
（実施形態３）
【００９４】
実施形態３に係る収納箱を図１９と図２０に示す。これらの図に示す収納箱は、前述の実施形態２の収納箱に対して、情報タブ５の形状、とくに、尻すぼみ状の端部５２の形状と第四切り取り線４４の構造が異なっている。図１９に示す情報タブ５は、前述の情報タブと同様に、尻すぼみ状の端部５２の先端縁を、情報表示面３の長手方向の端縁に形成された折り目である折曲線１９に位置させるが、この先端縁を図１６に示す情報タブ５よりも長くして、矩形状の隅部が台形状にカットされるカット部分を小さくしている。図１９に示す情報タブ５は、尻すぼみ状の端部５２の先端縁を、情報表示面３から切り離された切断線とすることなく、先端縁の中間には未破断部４７を設けている。図に示す先端縁は、中間の２箇所に未破断部４７を設けている。これにより、尻すぼみ状の端部５２の先端部が切断部によって大きく開口されるのを防止している。
（実施形態４）
【００９５】
さらに、実施形態４に係る収納箱を図２１と図２２に示す。これらの図に示す収納箱は、前述の実施形態２の収納箱に対して、情報タブ５や切り取り線４の形状や構造を等しくするが、情報タブ５が形成される情報表示面３である第二側面１２の幅を広くしている。図２１と図２２に示す収納箱は、第二側面１２及び第四側面１４の横幅を、図１６の収納箱の約２倍として、収納できる容積を２倍としている。ここで、図２１に示す情報タブ５は、短手方向の長さを、第二側面１２の横幅の約１／２としている。この収納箱は、情報タブの周囲に形成される切り取り線４の内、折り目に位置される第一切り取り線４１と平行に配置される第二切り取り線４２を、情報表示面３の中間に位置させている。このように、情報表示面３の中間に第二切り取り線４２を配置する構造は、情報表示面３における領域を広く確保して有効に利用できる特徴がある。
【００９６】
さらに、図２１に示す第二切り取り線４２は、第二切り取り線４２を情報表示面３の中間に配置するので、第二切り取り線４２の線種に制約を受けない。したがって、図に示す切り取り線４は、第二切り取り線４２に設ける交差切れ目４５を、切り取り線の延伸方向に対して傾斜する傾斜切れ目４５ａとしている。この構造は、情報タブの切断時には、長手方向に平行に延びる第一切り取り線と第二切り取り線に沿って、情報タブをスムーズに切断できる。ただ、切り取り線は、第二切り取り線に設ける交差切れ目を、切り取り線の延伸方向に対して垂直な垂直切れ目とすることも、情報タブの外側に交差切れ目を設けることもできる。例えば、第二切り取り線は、切断部と交差切れ目の形状を、平面視でＹ字状やＴ字状、Ｌ字状等とすることもできる。
（実施形態５）
【００９７】
さらに、実施形態５に係る収納箱を図２３と図２４に示す。これらの図に示す収納箱は、前述の実施形態２の収納箱に対して、四角筒状の箱本体１を水平方向に向けた姿勢としている。図２３の収納箱は、第一側面１１と第三側面１３とを幅の広い主面として上下に配置すると共に、箱本体１の両端に配置される閉塞フラップ２０、３０を閉塞面２として、図における左右方向に配置している。この収納箱は、収納物を取り出す開閉部となる閉塞フラップ２０を正面フラップとし、反対側に位置する閉塞フラップ３０を背面フラップとしている。
【００９８】
さらに、図２３の収納箱は、情報表示面３である第二側面１２を横向きの姿勢で側面に配置しており、情報表示面３から切り離される情報タブ５を情報表示面３の右側端縁部に配置している。この情報タブ５は、長手方向が水平方向となるように配置されている。図２３に示す情報タブ５は、尻すぼみ状の端部５２の形状を矩形状の隅部が台形状にカットされた形状としており、傾斜されたカットラインにおいて、情報タブ５の外側に延びる傾斜切れ目４５ａからなる交差切れ目４５を備えている。さらに、図２３の情報タブ５は、尻すぼみ状の端部５２の先端縁を、情報表示面３から切り離された切断線とすることなく、先端縁の中間には未破断部４７を設けている。図に示す先端縁は、中間の２箇所に未破断部４７を設けている。これにより、尻すぼみ状の端部５２の先端部が切断部によって大きく開口されるのを防止している。
（実施形態６）
【００９９】
さらに、実施形態６に係る収納箱を図２５と図２６に示す。これらの図に示す収納箱は、前述の実施形態２の収納箱に対して、箱本体１の高さを低くしており、４枚の側面１０の長手方向が水平方向となるようにしている。図２５に示す収納箱は、二組の側面１０の内、横幅の狭い側面１０である第二側面１２を情報表示面３として横向きの姿勢で配置している。この収納箱は、情報表示面３のほぼ全面を情報タブ５としている。
【０１００】
この情報タブ５は、矩形状の四隅を斜めにカットした形状としている。図の情報タブ５は、切断開始部５１側の端部５３を、矩形状の隅部をカットしてなる台形状としており、切断開始部５１側の端部の先端縁を情報表示面３の長手方向の端縁に形成された折り目である折曲線１８に位置させている。この情報タブ５も、切断開始部５１側の端部と対向する部分に矩形状の隅部を残すことで、第二フラップ２２、３２と第二側面１２との連結状態を保持している。
【０１０１】
さらに、図２５に示す情報タブ５の周囲に形成される切り取り線４は、第二側面１２と第二フラップ２２との境界である折曲線１９に配置された第一切り取り線４１と、第二側面１２と第二フラップ３２との境界である折曲線１９に配置された第二切り取り線４２と、切断開始部５１側の端部５３の周縁に沿って形成された第三切り取り線４３と、尻すぼみ状の端部５２の周縁に沿って形成された第四切り取り線４４とを備えている。
【０１０２】
第一切り取り線４１は、情報タブ５の内側に向かって延びる傾斜切れ目４５ａを備えており、第二切り取り線４２は、情報タブ５の内側に向かって延びる垂直切れ目４５ｂを備えている。第三切り取り線４３は、台形状の端部５３に沿って設けられており、台形状の先端縁を第二側面１２と第三側面１３との境界である折曲線１８に配置させると共に、この先端縁には、情報タブ５の内側に向かって延びる垂直切れ目４５ｂを備えている。さらに、台形状にカットされた端部５３のカットラインは、切断開始部５１側においては、情報タブ５の内側に向かって延びる傾斜切れ目４５ａを備えており、反対側には、情報タブ５の外側に向かって延びる傾斜切れ目４５ａを備えている。さらに、第四切り取り線４４は、台形状にカットされた端部５２のカットラインには、情報タブ５の外側に向かって延びる傾斜切れ目４５ａを備えており、第二側面１２と第一側面１１との境界である折曲線１８に配置させる先端縁の中間には未破断部４７を設けている。図に示す先端縁は、中間の２箇所に未破断部４７を設けており、尻すぼみ状の端部５２の先端部が切断部によって大きく開口されるのを防止している。
【０１０３】
さらに、図の収納箱は、底面フラップとなる閉塞フラップ３０を開閉しないように閉塞する構造としている。図に示す閉塞フラップ３０は、第一フラップ３１と第三の底フラップ３３に接着片３５を設けている。第一フラップ３１の接着片３５は、第二フラップ３２に接着され、第三フラップ３３の接着片３５は、第四フラップ３４に接着される。この箱本体１は、４枚の閉塞フラップ３０で箱本体１の底開口部を開閉しないように閉塞する。
【０１０４】
さらに、図の収納箱は、天面フラップとなる閉塞フラップ２０を第二側面１２、第三側面１３、及び第四側面１４に折曲線１９を介して連設している。この閉塞フラップ２０は、第二側面１２と第四側面１４を内側に折曲した後、第三側面１３に連結された第三フラップ２３を折曲して第二フラップ２２と第四フラップ２４に積層し、さらに、第三フラップ２３の折曲挿入部２６を折曲して第一側面１１の内側に挿入し、第一側面１１の中央上端部に設けた連結片２７に接着して固定する。この収納箱は、第一側面１１に設けた脱着片２８を引っ張って除去することで連結片２７が開放されて、第三フラップ２３が開閉される。
（実施形態７）
【０１０５】
さらに、実施形態７に係る収納箱を図２７に示す。この図に示す収納箱は、前述の図２５と図２６に示す収納箱に対して、天面フラップの構成を変更している。図２７に示す収納箱の閉塞フラップ２０は、第二フラップ２２と第四フラップ２４を箱本体１に対して内側に折曲する状態で、第一フラップ２１を内側に折曲して第二フラップ２２及び第四フラップ２４に積層し、さらに、第三フラップ２３を内側に折曲して第一フラップ２１に積層して箱本体１の両端開口部を閉塞する。第三フラップ２３は、先端部から突出する折曲挿入部２６が、第１フラップ２１の折曲線１９に設けた開口スリット２９に挿入されて、折曲挿入部２６が第一側面１１の内側に挿入される。この閉塞フラップ２０も、破断線２５を破断して第三フラップ２３を２分割する状態で箱本体１の上端開口を開放して、内部に収納された収納物を取り出しする。
（実施形態８）
【０１０６】
さらに、実施形態８に係る収納箱を図２８と図２９に示す。これらの図に示す収納箱は、前述の図２７に示す収納箱と天面フラップ及び底フラップの構成を等しくしている。さらに、図２８と図２９に示す収納箱は、角筒状の箱本体１を上下方向に起立させる姿勢としている。さらに、この収納箱は、４枚の側面１０の内、幅狭面である第二側面１２ではなく、幅広面である第三側面１３を情報表示面３として情報タブ５を設けている。ここに形成される情報タブ５及び切り取り線４は、図１９と図２０に示す情報タブ５及び切り取り線４と同様の構造としている。ただし、図２８と図２９に示す収納箱は、幅広面である第三側面１３に情報タブ５を設けているので、第二切り取り線４２を幅広面である第三側面１３の中間に配設すると共に、この第二切り取り線４２には、傾斜切れ目４５ａからなる交差切れ目を設けている。
（実施形態９）
【０１０７】
さらに、実施形態９に係る収納箱を図３０に示す。この図に示す収納箱も、前述の図２５と図２６に示す収納箱と天面フラップ及び底フラップの構成を等しくしている。さらに、図３０に示す収納箱も、角筒状の箱本体１を上下方向に起立させる姿勢としている。さらに、この収納箱も、４枚の側面１０の内、幅狭面である第二側面１２ではなく、幅広面である第三側面１３を情報表示面３として情報タブ５を設けている。ここに形成される情報タブ５及び切り取り線４は、図１９と図２０に示す情報タブ５及び切り取り線４と同様の構造としている。ただし、図３０に示す収納箱は、幅広面である第三側面１３に情報タブ５を設けているので、第二切り取り線４２を幅広面である第三側面１３の中間に配設すると共に、この第二切り取り線４２には、傾斜切れ目４５ａからなる交差切れ目を設けている。
（実施形態１０）
【０１０８】
さらに実施形態に係る収納箱は、罫割れを防止する機能を備えることもできる。罫割れとは、収納箱を折り込んだ際に、折曲線の外側のライナーが折曲線に沿って千切れてしまう現象である。罫割れが生じると、折曲線に沿ってライナーの切れ目から収納箱を構成する厚紙の材質（ねずみ色）が見えて、外観が著しく損なわれて不良品となる。これを防止するため、折曲線である罫線に罫割れ防止構造を設けている。ここでは、罫線の断面形状が、収納箱を展開した状態で非連続となるように段差状に形成している。具体的には、図３１Ａに示す実施形態１０に係る収納箱の平面図、及び図３１Ｂに示す、図３１ＡのＸＸＸＩＢ−ＸＸＸＩＢ線における断面図に示すように、情報タブ５Ａを設けた情報表示面３Ａ（ここでは第四側面１４Ａ）が、この面と左右で隣接する面、すなわち第一側面１１Ａ及び第三側面１３Ａよりも、断面視において低くなるように、折曲線１８Ａにおいて段差を形成している。このように、折曲線１８Ａにおいて段差が生じるように、収納箱を展開した状態で情報表示面３Ａが一段低くなるように予め形成することで、折曲線１８Ａで情報表示面を折曲した際に、折り目にかかる負荷が軽減され、罫割れを生じ難くすることができる。
【０１０９】
また、このような罫割れ防止構造を収納箱に付加する方法として、収納箱の製造工程において、例えば図３１Ｂに示すように、抜き加工時に用いる打抜型を工夫することが挙げられる。具体的には、打抜型６０を構成する雄型６１と雌型６２の組み合わせに対して、情報表示面と対応する領域のみ、雌型６２を除去している。このように構成することで、展開状態の収納箱の抜き加工時に、情報表示面が裏面側から押圧されない結果、折曲線１８Ａが雄型６１に押されて情報表示面全体が他の面よりも一段低くなる。この結果、展開状態の収納箱を組み立てた際、折曲線１８Ａでの負荷が軽減されて、罫割れを生じ難くすることができる。このような打抜型６０は、雄型６１を刃型とし、雌型６２を面板とする。刃型はトムソン刃型等と呼ばれ、ベースとなる木製や樹脂製の板（木型などとも呼ばれる）上に、展開状態の収納箱の外形や折曲線１８Ａ、破断線等の切り取り線に沿って、鋼製等の刃が配置される。刃の形状は、切断部位や折り目を設ける部位、切り取り線を設ける部位など、形成する形状に応じて加工する。また雌型６２の面板は、全体を平板状としつつ、刃形に設けた刃と対応する部分に溝や凹部等の隙間６３を形成している。さらに、情報表示面と対応する部位を切除した切り欠き部６４を設けることで、抜き加工時に情報表示面を支持する面を無くして、他の面よりも一段下がって形成されるようにしている。
（比較試験１〜２）
【０１１０】
次に実施形態に係る収納箱の、従来の収納箱に対する優位性を確認するため、収納箱を試作し、２種類の比較試験を行った。ここで本発明の実施形態１０に対応する収納箱として、上述した図１４の外観を有する実施例１の収納箱を用いた。また比較例１として、図３２の展開図に示す収納箱３２０を用いた。比較例１の収納箱３２０は、特許文献５で示す意匠登録第１４７６３２４号公報と同様に、側面に押圧部３２１を形成している。情報タブ３２５の破断時には、使用者が押圧部３２１を押圧することで、押圧部分の切り取り線３２２に沿って押圧部３２１が切り離されると共に、折り曲げ線３２３を介して包装用箱の内側に折り込まれ包装用箱に孔ができる。その孔に指を入れて情報タブ３２５を引っ張ることで、押圧部３２１と情報タブ３２５とを切り取り線３２２に沿って切り離すことができる。また収納箱３２０の材質及び寸法、並びに情報タブ３２５の長さは、実施例１と同様とした。
（比較試験１）
【０１１１】
まず比較試験１として、感応試験を行った。実施例１及び比較例１の収納箱をそれぞれ３個用意し（サンプルＮｏ．１〜３）、同じ試験者（３０才の女性）が情報タブを破断し、切り取りのし易さを評価した。試験結果は三段階評価とし、〇：良好、△：ふつう、×：不適合として区別した。試験場所は大塚包装工業株式会社内で、２０１７年６月２３日に室内２５℃の環境下で行った。この結果を表１に示す。
【０１１２】
【表１】
2018115029.tif 000003
【０１１３】
表１に示すとおり、３個のサンプルのいずれに対しても実施例１では良好な切り取りのし易さが看取され、一方比較例１ではサンプルＮｏ．２が不適合となり、残りの２個はふつうという結果であった。また、比較例１では一旦指を押し込んで指掛けを形成した後、指を入れて引っ張って引き裂くという２つの動作が必要となる一方、実施例１では既に存在する第二フラップ２２Ａを指で摘まんでそのまま引き裂くことができるため、情報タブを破断する動作が一動作で済む分、より単純であるとの評価が得られた。これに対して比較例１では、一旦特定部の部位を押圧して指かけを形成するという、通常の収納箱には見られない動作が必要なことから、最初に行うべき作業を理解するため説明書を読んだり質問するなどの作業が必要になるように思われるとのことであった。一方実施例１では、最初に第二フラップ２２Ａを表出させる必要があるものの、このための作業は収納箱の分野で広く採用されている一般的な作業（蓋部である第一フラップ２１Ａを半円状の破断線から破断する）であって特段の説明を要さず、情報タブの切り取り作業にあたり説明書等を参照する必要はないように思われる（対する比較例１では、箱の隅部でなく中間部分に半円状の切り取り線があるという特異な態様のため、最初に破断する際には説明が必要）とのことであった。加えて、実施例１では、端部に露出した第二フラップ２２Ａを２本の指で摘まんで情報タブを引き裂くことができるので、大きな力を要さず、破断し易い上、摘まむ部位も見易く、引き裂く方向などのコントロールも極めて容易である一方、比較例１の収納箱では、箱の中間を無理矢理破断する上、指を箱の内部に入れて摘まむので、摘まみにくい上、箱の内部に入れた指を視認できず、実施例１ほどには破断し易いとはいえず、また指を入れる部分から左右に、箱の縦辺までをまず判断する必要があるところ、破断方向（縦方向）と直交している（横方向）である上、切り取り線が直線状のみのミシン目であるため、縦方向に設けられた切り取り線（斜め方向にも連続して切り取り線が設けられている）と比べ、破断し難く、仕損じる虞がある（実際にサンプルＮｏ．２は失敗した）との所感が得られた。このように、最初の破断が比較例１では行い難いとの評価であった。これに対して実施例１では、最初の破断は破断方向に沿っている上、第二フラップ２２Ａを指で摘まみやすいことから極めて容易である。なお、比較例１とは異なり、破断方向と直交する第三切り取り線４３Ａが、最後に破断されることになるものの、既に破断が開始された状態での破談となることから、一気に第三切り取り線４３Ａでの破断がなされ、格別の困難性は感じられなかった。このように、破断の方向を、収納箱の長手方向において、中間から端部に向かった破断でなく、端部から中間に向かう方向での破断としたことで、作業性が向上されることが明らかとなった。
【０１１４】
なお、特許文献５に係る収納箱では、右側面の一部を切り取った状態を示す参考斜視図から明らかなとおり、情報タブを切り取った状態においても収納箱を使用可能な状態に維持している。これに対して実施例１では、収納箱を再利用することを想定しておらず、情報タブを切り取った後は収納箱は廃棄することを前提としている。これは、本発明者らが行った医療現場でのヒアリングの結果、収納箱から情報タブを切り取って利用する医療従事者は、図１３に示すように医薬品を保管棚に移し替えた後は収納箱を再利用せず、速やかに破棄しているケースが多いことに着目し、そうであれば寧ろ収納箱の廃棄も情報タブの切除と一緒に行うことで、より作業性が高められるとの知見を得たことによるものである。いいかえると、実施例１に係る収納箱では、破断することを前提に、すなわち収納箱の再利用を考慮することなく、寧ろ破棄に便利なように収納箱そのものの破断にも?がるように、情報タブの破断のための構成を見直したものである。このため、収納箱の一方を先に開口した状態から情報タブを破断するようにして、より情報タブを破断し易くし、また情報タブを除去した後の収納箱は、他方も開口して折り畳むなどして、そのまま破棄できるよう、いわば情報タブの切除と収納箱の破棄とを同時に行えるように設計したものである。この結果、情報タブの破断のし易さを担保しつつも、その後の収納箱は速やかに破棄するようにして、断捨離や整理整頓にも?がる効率的な環境を実現できる。
（比較試験２）
【０１１５】
以上の比較試験１では、試験者個人の感覚による感応試験を説明した。次に比較試験２として、実施例１及び比較例１の収納箱の切り取りの応力を数値で測定した。ここでも実施例１及び比較例１の収納箱をそれぞれ３個用意して、ＳＨＩＭＰＯ製デジタルフォースゲージＦＧＰＸ−５０を用いて破断時の応力を計測した。試験場所及び環境は、比較試験１と同様である。この結果を表２に示す。
【０１１６】
【表２】
2018115029.tif 000004
【０１１７】
表２に示すとおり、実施例１では平均で０．５０Ｎであるのに対し、比較例１では平均で２．１８Ｎであり、実施例１の収納箱によれば１／４以下の力で破断できることが確認された。以上の通り、実施例１に係る収納箱は、比較例１の収納箱と比べ、弱い力でも容易に切り取り可能であることが数値的にも確認された。またはさみなどの道具も不要で、女性の弱い力でも問題なく破断でき、また感応試験結果でも比較例１の収納箱に対して作業のし易さ、視認性、指でつまめる利便性などの点で優位性を有することが確認された。
【産業上の利用可能性】
【０１１８】
本発明は、収納物の情報が表示された情報タブを切り離し自在に設けてなる紙製の収納箱及びその製造装置並びに収納箱の製造方法として好適に使用できる。
【符号の説明】
【０１１９】
１００、１００Ａ…収納箱
１、１Ａ…箱本体
２…閉塞面
３、３Ａ…情報表示面；３Ｂ…第二情報表示面
４、４Ａ…切り取り線
５、５Ａ…情報タブ；５Ｂ…第二情報タブ
９…パターンシート
１０、１０Ａ…側面
１１、１１Ａ…第一側面
１２、１２Ａ…第二側面
１３、１３Ａ…第三側面
１４、１４Ａ…第四側面
１５、１５Ａ…接着片
１８、１８Ａ…折曲線
１９、１９Ａ…折曲線
２０、２０Ａ…閉塞フラップ
２１、２１Ａ…第一フラップ
２２、２２Ａ…第二フラップ
２３、２３Ａ…第三フラップ
２４、２４Ａ…第四フラップ
２５、２５Ａ…破断線
２６…折曲挿入片
２７…連結片
２８…脱着片
２９…開口スリット
３０、３０Ａ…閉塞フラップ
３１、３１Ａ…第一フラップ
３２、３２Ａ…第二フラップ
３３、３３Ａ…第三フラップ
３４、３４Ａ…第四フラップ
３５…接着片
４１、４１Ａ…第一切り取り線
４２、４２Ａ…第二切り取り線
４３、４３Ａ…第三切り取り線
４４…第四切り取り線
４５…交差切れ目
４５ａ…傾斜切れ目
４５ｂ…垂直切れ目
４６…切断線
４７…未破断部
５０、５０Ａ…情報表示領域
５１…切断開始部
５２…尻すぼみ状の端部
５３…端部
５５…段差凹部
６０…打抜型
６１…雄型
６２…雌型
６３…隙間
６４…切り欠き部
３２０…収納箱
３２１…押圧部
３２２…切り取り線
３２３…折り曲げ線
３２５…情報タブ
【図１】
2018115029.tif 000005
【図２】
2018115029.tif 000006
【図３】
2018115029.tif 000007
【図４】
2018115029.tif 000008
【図５】
2018115029.tif 000009
【図６】
2018115029.tif 000010
【図７】
2018115029.tif 000011
【図８】
2018115029.tif 000012
【図９】
2018115029.tif 000013
【図１０】
2018115029.tif 000014
【図１１】
2018115029.tif 000015
【図１２】
2018115029.tif 000016
【図１３】
2018115029.tif 000017
【図１４】
2018115029.tif 000018
【図１５】
2018115029.tif 000019
【図１６】
2018115029.tif 000020
【図１７】
2018115029.tif 000021
【図１８】
2018115029.tif 000022
【図１９】
2018115029.tif 000023
【図２０】
2018115029.tif 000024
【図２１】
2018115029.tif 000025
【図２２】
2018115029.tif 000026
【図２３】
2018115029.tif 000027
【図２４】
2018115029.tif 000028
【図２５】
2018115029.tif 000029
【図２６】
2018115029.tif 000030
【図２７】
2018115029.tif 000031
【図２８】
2018115029.tif 000032
【図２９】
2018115029.tif 000033
【図３０】
2018115029.tif 000034
【図３１】
2018115029.tif 000035
【図３２】
2018115029.tif 000036
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
収納物を収納するための箱形に形成された紙製の収納箱であって、
複数の側面と、
該複数の側面で区画された開口端を閉塞する閉塞面と
を備え、
前記複数の側面の内、少なくとも一面を、収納物に関する情報を印字した情報表示領域を有する情報表示面としており、
前記情報表示面の端縁に、該情報表示面に対して内側に折曲されて前記閉塞面に位置するフラップを連設しており、
前記情報表示領域の周囲に、複数の破断線分を一直線上に離間した切り取り線を設けており、該切り取り線で情報表示領域を含む領域を切断することにより、情報タブとして利用可能としており、
前記切り取り線が、
前記情報表示面の両側にそれぞれ隣接する他の側面との境界である折り目に沿って前記情報表示面の中間まで各々延長された、互いに平行な第一切り取り線及び第二切り取り線と、
前記情報表示面の中間において、前記第一切り取り線と第二切り取り線の端縁同士を結ぶように延長された第三切り取り線と
を含み、
前記第一切り取り線及び第二切り取り線は、各切り取り線を構成する破断線分の延伸方向に対して交差する交差切れ目を該切り取り線に沿って離間して設けており、
前記第三切り取り線は、切断部と非切断部とを交互に設けてなるミシン目状とすると共に、該第三切り取り線を構成する各破断線分の長さを、前記第一切り取り線及び第二切り取り線を構成する各破断線分の長さよりも短く形成しており、
前記情報表示面の内、前記第三切り取り線と対向する辺側と連設された前記フラップを、前記情報表示面の破断開始位置としており、
前記収納箱を展開した状態で、前記情報表示面が、該情報表示面と左右で隣接する側面よりも、断面視において低くなるように、境界の折り目において段差を形成し、かつ該境界の折り目において断面視ノ字状かつ非Ｕ字状に形成しており、
前記情報タブが、中央部に段差凹部を形成しており、この段差凹部を前記情報表示領域としてなる紙製の収納箱。
【請求項２】
収納物を収納するための箱形に形成された紙製の収納箱であって、
複数の側面と、
該複数の側面で区画された開口端を閉塞する閉塞面と
を備え、
前記複数の側面の内、少なくとも一面を、収納物に関する情報を印字した情報表示領域を有する情報表示面としており、
前記情報表示領域の周囲に、複数の破断線分を一直線上に離間した切り取り線を設けており、該切り取り線で情報表示領域を含む領域を切断することにより、情報タブとして利用可能としており、
前記側面の内、主面を構成する第一側面は、前記閉塞面との境界よりも、前記情報表示面との境界を短くしており、
前記情報表示面は、前記閉塞面との境界よりも、前記第一側面との境界を長くしており、
前記情報タブは、外形を略矩形状とすると共に、少なくとも長手方向の一辺を、前記側面の周縁に形成された折り目に位置させると共に、該一辺の一端に位置する隅部を折り目から突出させて切断開始部としており、
前記情報タブは、長手方向の内、前記切断開始部と反対側の端部を、先端に向かって次第に幅が小さくなる尻すぼみ状の端部を形成しており、
前記切り取り線が、
前記情報表示面の両側にそれぞれ隣接する他の側面との境界である折り目に沿って前記情報表示面の中間まで各々延長された第一切り取り線及び第二切り取り線と、
前記情報表示面の中間において、前記第一切り取り線と第二切り取り線の端縁同士を結ぶように延長された第三切り取り線と、
前記尻すぼみ状の端部の周縁に沿って形成された第四切り取り線と
前記尻すぼみ状の端部の先端縁に形成された切断線と
を備え、
前記切断開始部は、前記第一切り取り線及び前記第三切り取り線とがなす隅部に設けられ、かつ折り目に位置する前記切り取り線に沿う第一切断縁と、該第一切断縁の一端から前記情報表示面の内側に延びる第二切断縁とで形成されており、
交差切れ目として、前記第一切り取り線、前記第二切り取り線、及び前記第三切り取り線が前記情報タブの内側に延びる第一、第二、第三交差切れ目を備えると共に、前記第四切り取り線が前記情報タブの外側に延びる第四交差切れ目を備え、
前記第一切り取り線に設けた前記第一交差切れ目が、該切り取り線の延伸方向に対して傾斜する傾斜切れ目であり、
前記第二切り取り線に設けた前記第二交差切れ目が、該切り取り線の延伸方向に対して直交する直交切れ目であり、
前記切断線が、切断部と非切断部とを交互に設けてなるミシン目状に形成されてなる紙製の収納箱。
【請求項３】
請求項２に記載の紙製の収納箱であって、
前記第一切り取り線及び前記第二切り取り線が、前記情報表示面の対向縁に形成された折り目に位置してなる紙製の収納箱。
【請求項４】
請求項１から３のいずれか一項に記載の紙製の収納箱であって、
前記複数の側面が、互いに側縁で連結された第一の側面、第二の側面、第三の側面、及び第四の側面で構成されると共に、前記第一の側面の側縁に沿って接着片を連設し、前記接着片を前記第四の側面に糊付けして全体の形状を四角筒状としており、
前記第二の側面を前記情報表示面として、前記情報タブを設けてなる紙製の収納箱。
【請求項５】
請求項１から４のいずれか一項に記載の紙製の収納箱であって、
前記収納箱を、対向する前記側面が積層される姿勢に折り畳んだ状態を初期状態として取り扱い可能としており、前記初期状態における折り目に前記切り取り線を配置する紙製の収納箱。
【請求項６】
請求項１から５のいずれか一項に記載の紙製の収納箱であって、
前記複数の側面の内、前記情報表示面以外に、第二情報表示領域を設けてなる紙製の収納箱。
【請求項７】
請求項１に記載の紙製の収納箱であって、
前記交差切れ目は、切断開始の起点側に傾斜されており、かつ各切り取り線を構成する破断線分の延伸方向に対して５０°〜８０°に傾斜されてなる紙製の収納箱。
【請求項８】
請求項２に記載の紙製の収納箱であって、
前記第一切り取り線に設けた前記第一交差切れ目は、切断開始の起点側に傾斜されており、かつ各切り取り線を構成する破断線分の延伸方向に対して５０°〜８０°に傾斜されてなる紙製の収納箱。
【請求項９】
請求項１から８のいずれか一項に記載の紙製の収納箱であって、
前記交差切れ目を設ける間隔を、第一切り取り線及び第二切り取り線の破断線分の長さに対して１．２〜１．８としてなる紙製の収納箱。
【請求項１０】
請求項１から９のいずれか一項に記載の紙製の収納箱であって、
前記第一切り取り線及び第二切り取り線の破断線分を設ける間隔を、該破断線分の長さに対して、４０％〜７０％としてなる紙製の収納箱。
【請求項１１】
請求項１から１０のいずれか一項に記載の紙製の収納箱であって、
展開状態において、前記情報表示面が、該情報表示面の両側にそれぞれ隣接する他の側面と、断面視において、前記第一切り取り線及び第二切り取り線で非連続に形成されてなる収納箱。
【請求項１２】
収納物を収納するための箱形に形成された紙製の収納箱の製造装置であって、
複数の側面と、該複数の側面で区画された開口端を閉塞する閉塞面とを備え、前記複数の側面の内、少なくとも一面を、収納物に関する情報を印字した情報表示領域を有する情報表示面として、前記情報表示領域の周囲に、複数の破断線分を一直線上に離間した切り取り線を設けており、該切り取り線で情報表示領域を含む領域を切断することにより、情報タブとして利用可能とし、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けている収納箱を展開した状態の輪郭、該収納箱の外形、前記側面を折曲する折曲線、及び前記切り取り線に沿って刃を形成した雄型と、
前記刃の部分を窪ませた雌型と
を備え、
前記雌型は、前記情報表示面と対応する部位を切り欠いてなる収納箱の製造装置。
【請求項１３】
収納物を収納するための箱形に形成された紙製の収納箱の製造方法であって、
複数の側面と、該複数の側面で区画された開口端を閉塞する閉塞面とを備え、前記複数の側面の内、少なくとも一面を、収納物に関する情報を印字した情報表示領域を有する情報表示面として、前記情報表示領域の周囲に、複数の破断線分を一直線上に離間した切り取り線を設けており、該切り取り線で情報表示領域を含む領域を切断することにより、情報タブとして利用可能とし、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けている収納箱を展開した状態の輪郭、該収納箱の外形、前記側面を折曲する折曲線、及び前記切り取り線に沿って刃を形成した雄型と、前記刃の部分を窪ませると共に、前記情報表示面と対応する部位を切り欠いた雌型とで構成される打抜型を準備する工程と、
前記打抜型の間に原紙をセットして、展開状態の収納箱を打ち抜くと共に、前記情報表示面が、断面視において、該情報表示面の両側にそれぞれ隣接する他の側面と同一平面上にないよう形成する工程と
を含む収納箱の製造方法。
【手続補正２】
【補正対象書類名】明細書
【補正対象項目名】００１３
【補正方法】変更
【補正の内容】
【００１３】
本発明の一の側面に係る収納箱によれば、収納物を収納するための箱形に形成された紙製の収納箱であって、複数の側面と、該複数の側面で区画された開口端を閉塞する閉塞面とを備え、前記複数の側面の内、少なくとも一面を、収納物に関する情報を印字した情報表示領域を有する情報表示面としており、前記情報表示面の端縁に、該情報表示面に対して内側に折曲されて前記閉塞面に位置するフラップを連設しており、前記情報表示領域の周囲に、複数の破断線分を一直線上に離間した切り取り線を設けており、該切り取り線で情報表示領域を含む領域を切断することにより、情報タブとして利用可能としており、前記切り取り線が、前記情報表示面の両側にそれぞれ隣接する他の側面との境界である折り目に沿って前記情報表示面の中間まで各々延長された、互いに平行な第一切り取り線及び第二切り取り線と、前記情報表示面の中間において、前記第一切り取り線と第二切り取り線の端縁同士を結ぶように延長された第三切り取り線とを含み、前記第一切り取り線及び第二切り取り線は、各切り取り線を構成する破断線分の延伸方向に対して交差する交差切れ目を該切り取り線に沿って離間して設けており、前記第三切り取り線は、切断部と非切断部とを交互に設けてなるミシン目状とすると共に、該第三切り取り線を構成する各破断線分の長さを、前記第一切り取り線及び第二切り取り線を構成する各破断線分の長さよりも短く形成しており、前記情報表示面の内、前記第三切り取り線と対向する辺側と連設された前記フラップを、前記情報表示面の破断開始位置としており、前記収納箱を展開した状態で、前記情報表示面が、該情報表示面と左右で隣接する側面よりも、断面視において低くなるように、境界の折り目において段差を形成し、かつ該境界の折り目において断面視ノ字状かつ非Ｕ字状に形成しており、前記情報タブが、中央部に段差凹部を形成しており、この段差凹部を前記情報表示領域とすることができる。上記構成により、折り目に沿って設けられた交差切れ目を有する第一切り取り線と第二切り取り線でもって、容易に情報タブを収納箱から分離させることを可能にしつつ、これらと交差する第三切り取り線については破断線分のみとして、情報タブの未切除状態における収納箱の強度を維持することができ、収納箱の強度維持と情報タブの切り離し作業の容易化を両立させることができる。
【手続補正３】
【補正対象書類名】明細書
【補正対象項目名】００１４
【補正方法】変更
【補正の内容】
【００１４】
また本発明の他の側面に係る収納箱によれば、収納物を収納するための箱形に形成された紙製の収納箱であって、複数の側面と、該複数の側面で区画された開口端を閉塞する閉塞面とを備え、前記複数の側面の内、少なくとも一面を、収納物に関する情報を印字した情報表示領域を有する情報表示面としており、前記情報表示領域の周囲に、複数の破断線分を一直線上に離間した切り取り線を設けており、該切り取り線で情報表示領域を含む領域を切断することにより、情報タブとして利用可能としており、前記側面の内、主面を構成する第一側面は、前記閉塞面との境界よりも、前記情報表示面との境界を短くしており、前記情報表示面は、前記閉塞面との境界よりも、前記第一側面との境界を長くしており、前記情報タブは、外形を略矩形状とすると共に、少なくとも長手方向の一辺を、前記側面の周縁に形成された折り目に位置させると共に、該一辺の一端に位置する隅部を折り目から突出させて切断開始部としており、前記情報タブは、長手方向の内、前記切断開始部と反対側の端部を、先端に向かって次第に幅が小さくなる尻すぼみ状の端部を形成しており、前記切り取り線が、前記情報表示面の両側にそれぞれ隣接する他の側面との境界である折り目に沿って前記情報表示面の中間まで各々延長された第一切り取り線及び第二切り取り線と、前記情報表示面の中間において、前記第一切り取り線と第二切り取り線の端縁同士を結ぶように延長された第三切り取り線と、前記尻すぼみ状の端部の周縁に沿って形成された第四切り取り線と、前記尻すぼみ状の端部の先端縁に形成された切断線とを備え、前記切断開始部は、前記第一切り取り線及び前記第三切り取り線とがなす隅部に設けられ、かつ折り目に位置する前記切り取り線に沿う第一切断縁と、該第一切断縁の一端から前記情報表示面の内側に延びる第二切断縁とで形成されており、交差切れ目として、前記第一切り取り線、前記第二切り取り線、及び前記第三切り取り線が前記情報タブの内側に延びる第一、第二、第三交差切れ目を備えると共に、前記第四切り取り線が前記情報タブの外側に延びる第四交差切れ目を備え、前記第一切り取り線に設けた前記第一交差切れ目が、該切り取り線の延伸方向に対して傾斜する傾斜切れ目であり、前記第二切り取り線に設けた前記第二交差切れ目が、該切り取り線の延伸方向に対して直交する直交切れ目であり、前記切断線を、切断部と非切断部とを交互に設けてなるミシン目状に形成することができる。
さらに本発明の他の側面に係る収納箱によれば、上記構成に加えて、前記第三切り取り線は、該第三切り取り線を構成する各破断線分を長さを、第一切り取り線及び第二切り取り線を構成する各破断線分を長さよりも短く形成することができる。上記構成により、第三切り取り線を、第一切り取り線や第二切り取り線よりも破断され難い強固なものとして、収納箱の剛性を高めつつ、情報タブの破断時においては、第一切り取り線及び第二切り取り線に沿って情報タブを引き剥がすようにして破断を可能としている。
【手続補正４】
【補正対象書類名】明細書
【補正対象項目名】００４２
【補正方法】変更
【補正の内容】
【００４２】
さらにまた、本発明の他の側面に係る紙製の収納箱によれば、上記いずれかの構成に加えて、対向する側面１０が積層される姿勢に折り畳んだ状態を初期状態として取り扱い可能とし、初期状態における折り目に切り取り線４を配置することができる。
【手続補正５】
【補正対象書類名】明細書
【補正対象項目名】００４５
【補正方法】変更
【補正の内容】
【００４５】
さらにまた、本発明の他の側面に係る紙製の収納箱によれば、上記いずれかの構成に加えて、前記交差切れ目を、切断開始の起点側に傾斜させ、かつ各切り取り線を構成する破断線分の延伸方向に対して５０°〜８０°に傾斜させることができる。
さらにまた、本発明の他の側面に係る紙製の収納箱によれば、上記いずれかの構成に加えて、前記第一切り取り線に設けた前記第一交差切れ目は、切断開始の起点側に傾斜されており、かつ各切り取り線を構成する破断線分の延伸方向に対して５０°〜８０°に傾斜させることができる。
【手続補正６】
【補正対象書類名】明細書
【補正対象項目名】００４８
【補正方法】変更
【補正の内容】
【００４８】
【図１】本発明の実施形態１に係る紙製の収納箱を示す斜視図である。
【図２】図１の収納箱の展開図である。
【図３】図１の収納箱の平面図である。
【図４】図３の収納箱の背面図である。
【図５】図３の収納箱の右側面図である。
【図６】図３の収納箱の左側面図である。
【図７】図３の収納箱の平面図である。
【図８】図３の収納箱の底面図である。
【図９】図２の展開図の一部拡大図である。
【図１０】図１の収納箱の上端を開いて情報タブを切り離そうとする状態を示す斜視図である。
【図１１】図１０の収納箱から情報タブを切り離す状態を示す斜視図である。
【図１２】切り離した情報タブを示す平面図である。
【図１３】切り離した情報タブを引き出しのネームタグに利用する様子を示す斜視図である。
【図１４】耐圧試験の結果を示す斜視図である。
【図１５】変形例に係る紙製の収納箱を示す展開図である。
【図１６】本発明の実施形態２に係る紙製の収納箱の斜視図である。
【図１７】図１６に示す収納箱の展開図である。
【図１８】図１６に示す収納箱の情報タブを切り離す状態を示す斜視図である。
【図１９】本発明の実施形態３に係る紙製の収納箱の斜視図である。
【図２０】図１９に示す収納箱の展開図である。
【図２１】本発明の参考例１に係る紙製の収納箱の斜視図である。
【図２２】図２１に示す収納箱の展開図である。
【図２３】本発明の実施形態５に係る紙製の収納箱の斜視図である。
【図２４】図２３に示す収納箱の展開図である。
【図２５】本発明の参考例２に係る紙製の収納箱の斜視図である。
【図２６】図２５に示す収納箱の展開図である。
【図２７】本発明の参考例３に係る紙製の収納箱の展開図である。
【図２８】本発明の参考例４に係る紙製の収納箱の斜視図である。
【図２９】図２８に示す収納箱の展開図である。
【図３０】本発明の参考例５に係る紙製の収納箱の展開図である。
【図３１】図３１Ａは本発明の実施形態１０に係る紙製の収納箱を示す展開図、図３１Ｂは図３１ＡのＸＸＸＩＢ−ＸＸＸＩＢ線における断面と打抜型を示す断面図である。
【図３２】比較例１に係る紙製の収納箱を示す斜視図である。
【手続補正７】
【補正対象書類名】明細書
【補正対象項目名】００９４
【補正方法】変更
【補正の内容】
【００９４】
実施形態３に係る収納箱を図１９と図２０に示す。これらの図に示す収納箱は、前述の実施形態２の収納箱に対して、情報タブ５の形状、とくに、尻すぼみ状の端部５２の形状と第四切り取り線４４の構造が異なっている。図１９に示す情報タブ５は、前述の情報タブと同様に、尻すぼみ状の端部５２の先端縁を、情報表示面３の長手方向の端縁に形成された折り目である折曲線１９に位置させるが、この先端縁を図１６に示す情報タブ５よりも長くして、矩形状の隅部が台形状にカットされるカット部分を小さくしている。図１９に示す情報タブ５は、尻すぼみ状の端部５２の先端縁を、情報表示面３から切り離された切断線とすることなく、先端縁の中間には未破断部４７を設けている。図に示す先端縁は、中間の２箇所に未破断部４７を設けている。これにより、尻すぼみ状の端部５２の先端部が切断部によって大きく開口されるのを防止している。
（参考例１）
【手続補正８】
【補正対象書類名】明細書
【補正対象項目名】００９５
【補正方法】変更
【補正の内容】
【００９５】
さらに、参考例１に係る収納箱を図２１と図２２に示す。これらの図に示す収納箱は、前述の実施形態２の収納箱に対して、情報タブ５や切り取り線４の形状や構造を等しくするが、情報タブ５が形成される情報表示面３である第二側面１２の幅を広くしている。図２１と図２２に示す収納箱は、第二側面１２及び第四側面１４の横幅を、図１６の収納箱の約２倍として、収納できる容積を２倍としている。ここで、図２１に示す情報タブ５は、短手方向の長さを、第二側面１２の横幅の約１／２としている。この収納箱は、情報タブの周囲に形成される切り取り線４の内、折り目に位置される第一切り取り線４１と平行に配置される第二切り取り線４２を、情報表示面３の中間に位置させている。このように、情報表示面３の中間に第二切り取り線４２を配置する構造は、情報表示面３における領域を広く確保して有効に利用できる特徴がある。
【手続補正９】
【補正対象書類名】明細書
【補正対象項目名】００９８
【補正方法】変更
【補正の内容】
【００９８】
さらに、図２３の収納箱は、情報表示面３である第二側面１２を横向きの姿勢で側面に配置しており、情報表示面３から切り離される情報タブ５を情報表示面３の右側端縁部に配置している。この情報タブ５は、長手方向が水平方向となるように配置されている。図２３に示す情報タブ５は、尻すぼみ状の端部５２の形状を矩形状の隅部が台形状にカットされた形状としており、傾斜されたカットラインにおいて、情報タブ５の外側に延びる傾斜切れ目４５ａからなる交差切れ目４５を備えている。さらに、図２３の情報タブ５は、尻すぼみ状の端部５２の先端縁を、情報表示面３から切り離された切断線とすることなく、先端縁の中間には未破断部４７を設けている。図に示す先端縁は、中間の２箇所に未破断部４７を設けている。これにより、尻すぼみ状の端部５２の先端部が切断部によって大きく開口されるのを防止している。
（参考例２）
【手続補正１０】
【補正対象書類名】明細書
【補正対象項目名】００９９
【補正方法】変更
【補正の内容】
【００９９】
さらに、参考例２に係る収納箱を図２５と図２６に示す。これらの図に示す収納箱は、前述の実施形態２の収納箱に対して、箱本体１の高さを低くしており、４枚の側面１０の長手方向が水平方向となるようにしている。図２５に示す収納箱は、二組の側面１０の内、横幅の狭い側面１０である第二側面１２を情報表示面３として横向きの姿勢で配置している。この収納箱は、情報表示面３のほぼ全面を情報タブ５としている。
【手続補正１１】
【補正対象書類名】明細書
【補正対象項目名】０１０５
【補正方法】変更
【補正の内容】
【０１０５】
さらに、参考例３に係る収納箱を図２７に示す。この図に示す収納箱は、前述の図２５と図２６に示す収納箱に対して、天面フラップの構成を変更している。図２７に示す収納箱の閉塞フラップ２０は、第二フラップ２２と第四フラップ２４を箱本体１に対して内側に折曲する状態で、第一フラップ２１を内側に折曲して第二フラップ２２及び第四フラップ２４に積層し、さらに、第三フラップ２３を内側に折曲して第一フラップ２１に積層して箱本体１の両端開口部を閉塞する。第三フラップ２３は、先端部から突出する折曲挿入部２６が、第１フラップ２１の折曲線１９に設けた開口スリット２９に挿入されて、折曲挿入部２６が第一側面１１の内側に挿入される。この閉塞フラップ２０も、破断線２５を破断して第三フラップ２３を２分割する状態で箱本体１の上端開口を開放して、内部に収納された収納物を取り出しする。
（参考例４）
【手続補正１２】
【補正対象書類名】明細書
【補正対象項目名】０１０６
【補正方法】変更
【補正の内容】
【０１０６】
さらに、参考例４に係る収納箱を図２８と図２９に示す。これらの図に示す収納箱は、前述の図２７に示す収納箱と天面フラップ及び底フラップの構成を等しくしている。さらに、図２８と図２９に示す収納箱は、角筒状の箱本体１を上下方向に起立させる姿勢としている。さらに、この収納箱は、４枚の側面１０の内、幅狭面である第二側面１２ではなく、幅広面である第三側面１３を情報表示面３として情報タブ５を設けている。ここに形成される情報タブ５及び切り取り線４は、図１９と図２０に示す情報タブ５及び切り取り線４と同様の構造としている。ただし、図２８と図２９に示す収納箱は、幅広面である第三側面１３に情報タブ５を設けているので、第二切り取り線４２を幅広面である第三側面１３の中間に配設すると共に、この第二切り取り線４２には、傾斜切れ目４５ａからなる交差切れ目を設けている。
（参考例５）
【手続補正１３】
【補正対象書類名】明細書
【補正対象項目名】０１０７
【補正方法】変更
【補正の内容】
【０１０７】
さらに、参考例５に係る収納箱を図３０に示す。この図に示す収納箱も、前述の図２５と図２６に示す収納箱と天面フラップ及び底フラップの構成を等しくしている。さらに、図３０に示す収納箱も、角筒状の箱本体１を上下方向に起立させる姿勢としている。さらに、この収納箱も、４枚の側面１０の内、幅狭面である第二側面１２ではなく、幅広面である第三側面１３を情報表示面３として情報タブ５を設けている。ここに形成される情報タブ５及び切り取り線４は、図１９と図２０に示す情報タブ５及び切り取り線４と同様の構造としている。ただし、図３０に示す収納箱は、幅広面である第三側面１３に情報タブ５を設けているので、第二切り取り線４２を幅広面である第三側面１３の中間に配設すると共に、この第二切り取り線４２には、傾斜切れ目４５ａからなる交差切れ目を設けている。
（実施形態１０）
【手続補正１４】
【補正対象書類名】図面
【補正対象項目名】図１２
【補正方法】変更
【補正の内容】
【図１２】
2018115029.tif 000037
【手続補正１５】
【補正対象書類名】図面
【補正対象項目名】図３１
【補正方法】変更
【補正の内容】
【図３１】
2018115029.tif 000038